(57)【要約】  ＨＦＯ−１２２４ｙｄを含む消火剤、並びにかかる消火剤を使用する方法、システム、及び容器が開示される。【選択図】図１
2020520259.tif 000002
【特許請求の範囲】
【請求項１】
ＨＦＯ−１２２４ｙｄを含む消火剤であって、但し、前記消火剤は、ｉ）トランス−１−クロロ−２，３，３，３−テトラフルオロプロペン（ＨＦＯ−１２２４ｙｄ（Ｅ））及びトランス−１，１，１，４，４，５，５，５−オクタフルオロ−２−ペンテン（ＨＦＯ−１４３８ｍｚｚ（Ｅ））、又はｉｉ）トランス−１−クロロ−２，３，３，３−テトラフルオロプロペン（ＨＦＯ−１２２４ｙｄ（Ｅ））及びトランス−１，１，１，４，４，４−ヘキサフルオロ−２−ブテン（ＨＦＯ−１３３６ｍｚｚ（Ｅ））、又はｉｉｉ）トランス−１−クロロ−２，３，３，３−テトラフルオロプロペン（ＨＦＯ−１２２４ｙｄ（Ｅ））及び１，１，１，２，３−ペンタフルオロプロパン（ＨＦＣ−２４５ｅｂ）から本質的にならない、消火剤。
【請求項２】
前記消火剤が、トランス−１，１，１，４，４，５，５，５−オクタフルオロ−２−ペンテン（ＨＦＯ−１４３８ｍｚｚ（Ｅ））、トランス−１，１，１，４，４，４−ヘキサフルオロ−２−ブテン（ＨＦＯ−１３３６ｍｚｚ（Ｅ））、又は１，１，１，２，３−ペンタフルオロプロパン（ＨＦＣ−２４５ｅｂ）を含まない、請求項１に記載の消火剤。
【請求項３】
前記ＨＦＯ−１２２４ｙｄが、ＨＦＯ−１２２４ｙｄ（Ｅ）から本質的になる、請求項１に記載の消火剤。
【請求項４】
前記ＨＦＯ−１２２４ｙｄが、ＨＦＯ−１２２４ｙｄ（Ｚ）から本質的になる、請求項１に記載の消火剤。
【請求項５】
請求項１に記載の消火剤を含む、組成物。
【請求項６】
前記組成物が噴射剤を更に含む、請求項５に記載の組成物。
【請求項７】
前記噴射剤が、Ｎ２、ＣＯ２、Ａｒ、Ｈｅ、及びこれらの組み合わせからなる群から選択される、請求項５に記載の組成物。
【請求項８】
前記組成物が、１種以上の解毒剤を追加的に含む、請求項７に記載の組成物。
【請求項９】
火炎を抑制する又は消す方法であって、前記方法は、火炎を請求項１に記載の消火剤と接触させる工程を含む、方法。
【請求項１０】
請求項１に記載の消火剤を含む容器。
【発明の詳細な説明】
【技術分野】
【０００１】
（関連出願の相互参照）
本出願は、その全体が参照により本明細書に組み込まれる、２０１７年５月８日出願の米国特許仮出願第６２／５０２，９３１号の優先権を主張するものである。
【０００２】
（発明の分野）
本発明は、消火剤、消火剤を含む組成物、並びに消火剤を使用する方法、システム、及び容器に関する。
【背景技術】
【０００３】
火を抑制する及び消すための多数の薬剤及び方法が知られており、サイズ、場所、及び関与する可燃性材料の種類などの要因に応じて、特定の火災用に選択することができる。
【０００４】
ある種のハロゲン化炭化水素消火剤は、防火産業において、特に、密閉区域に有効量の薬剤が完全に充満する（「フラッド化」）トータルフラッディング用途を含む用途（例えば、コンピュータ室、保管金庫、電気通信スイッチングギア室、図書館、文書保管所、石油パイプラインポンプステーションなど）において、又は消火剤が火災発生場所に向けられるストリーミング用途（例えば、市販の手持ち式消火器）において使用されてきた。このような消火剤は有効であるだけでなく、水とは異なり、「クリーン消火剤」としても機能し、エンクロージャ又はその内容物への損傷があるとしても、わずかしか生じさせない。
【０００５】
これまでは、最も一般的に使用されていたハロゲン化炭化水素消火剤は、ブロモトリフルオロメタン（ＣＦ３Ｂｒ、Ｈａｌｏｎ  １３０１）及びブロモクロロジフルオロメタン（ＣＦ２ＣＩＢｒ、Ｈａｌｏｎ  １２１１）などの臭素含有化合物であった。これらの臭素含有炭化水素は、消火に非常に有効であり、ストリーミング機器又はトータルフラッディングシステムのいずれかから分配され得るが、これらの化合物は、成層圏オゾンの破壊（「オゾン層破壊」）と関係している。例えば、Ｈａｌｏｎ  １３０１は、約１０のオゾン破壊係数（ＯＤＰ）を有し、Ｈａｌｏｎ  １２１１は約３のＯＤＰを有する。１９８７年には、臭素含有炭化水素を含むオゾン層破壊製品の段階的削減のためのタイムテーブルを定めた、地球環境を保護するためのモントリオール議定書に多くの政府が署名した。
【０００６】
更に、これらの化合物の特定のものは、比較的低い濃度レベルであっても毒性に関する問題を有する。例えば、Ｈａｌｏｎ  １２１１は、空気中１〜２％体積を超えるレベルで使用された場合、心臓感作を引き起こす。
【０００７】
臭素含有炭化水素に代わる不燃性、非毒性の代替物の要求に応じて、業界では、オゾン破壊係数がゼロであるいくつかのヒドロフルオロカーボン（ＨＦＣ）が開発された。例えば、１，１，１，２，３，３，３−ヘプタフルオロプロパン（ＨＦＣ−２２７ｅａ）は、火を消すのに有効であり、またオゾン破壊に寄与しないため、消火用途に採用されてきた。
【０００８】
しかしながら、ＨＦＣ−２２７ｅａは、約３２２０の全地球温暖化係数（ＧＷＰ）を有する（ＩＰＣＣ（２００７）Ｃｌｉｍａｔｅ  Ｃｈａｎｇｅ  ２００７：Ｔｈｅ  Ｐｈｙｓｉｃａｌ  Ｓｃｉｅｎｃｅ  Ｂａｓｉｓ．Ｃｏｎｔｒｉｂｕｔｉｏｎ  ｏｆ  Ｗｏｒｋｉｎｇ  Ｇｒｏｕｐ  Ｉ  ｔｏ  ｔｈｅ  Ｆｏｕｒｔｈ  Ａｓｓｅｓｓｍｅｎｔ  Ｒｅｐｏｒｔ  ｏｆ  ｔｈｅ  Ｉｎｔｅｒｇｏｖｅｒｎｍｅｎｔａｌ  Ｐａｎｅｌ  ｏｎ  Ｃｌｉｍａｔｅ  Ｃｈａｎｇｅ（Ｓ．Ｓｏｌｏｍｏｎ  ｅｔ  ａｌ．，Ｃａｍｂｒｉｄｇｅ  Ｕｎｉｖｅｒｓｉｔｙ  Ｐｒｅｓｓ．Ｃａｍｂｒｉｄｇｅ，Ｕｎｉｔｅｄ  Ｋｉｎｇｄｏｍ））による）。したがって、低オゾン破壊係数（ＯＤＰ）及び低全地球温暖化係数（ＧＷＰ）の両方を有するクリーン消火剤が当該技術分野において必要とされている。
【０００９】
当該技術分野では、代わりのクリーン消火剤は、好ましくは、望ましくない結果を最小限にして、有効かつ安全に火を消すことを可能にするため、特性の組み合わせを有しなければならないことが理解される。この組み合わせは一般に、中でも、優れた消火特性、並びに化学的安定性、低毒性、又は無毒性を含む。代わりのクリーン消火剤はまた、許容可能な環境特性、すなわち、低全地球温暖化係数（ＧＷＰ）及び低オゾン破壊係数（ＯＤＰ）を有しなければならない。しかしながら、これらの要件の全てを満たす火炎消火剤の識別は、当業者には重大な課題を提示する。
【００１０】
国際公開第２００４／０３７９１３号は、式（Ｉ）のフルオロアルケン、ＸＣＦＺＲ３−Ｚ（式中、Ｘは、Ｃ２又はＣ３不飽和、置換又は非置換アルキルラジカルであり、それぞれのＲは、独立してＣｌ、Ｆ、Ｂｒ、Ｉ又はＨであり、ｚは１〜３である）を、火炎を抑制する方法で使用し得ることを開示している。
【００１１】
米国特許第８，９６１，８０８号は、トランス−１−クロロ−２，３，３，３−テトラフルオロプロペン（ＨＦＯ−１２２４ｙｄ（Ｅ））及びトランス−１，１，１，４，４，４−ヘキサフルオロブテン（ＨＦＯ−１３３６ｍｚｚ（Ｅ））又はトランス−１，１，１，４，４，５，５，５−オクタフルオロペンテン（ＨＦＯ−１４３８ｍｚｚ（Ｅ））のいずれかから本質的になる共沸混合物様組成物と、これらの組成物は、消火剤又は抑制剤として使用され得ることと、を開示している。
【００１２】
米国特許第９，０８５，７２１号は、ＨＦＯ−１２２４ｙｄ（Ｅ）及び１，１，１，２，３−ペンタフルオロプロパン（ＨＦＣ−２４５ｅｂ）、又はＨＦＯ−１２２４ｙｄ（Ｅ）及びＨＦＯ−１３３６ｍｚｚ（Ｅ）から本質的になる共沸性又は共沸混合物様組成物を開示しており、これらの組成物は、火を消す又は抑制する方法で使用され得ることを示している。
【図面の簡単な説明】
【００１３】
【図１】本発明の消火剤の方法及びシステムの一実施形態による、トータルフラッディングシステムを概略的に示す。
【図２】本明細書の「実施例」に記載される「閉鎖ドラム試験」で使用される閉鎖ドラムの概略図である。
【００１４】
概要
出願人らは、従来の組成物、方法、及びシステムによる問題の１つ以上を回避しながら、迅速かつ有効な火炎抑制を達成する、非常に有利な組成物、システム、及び方法を開発した。
【００１５】
本発明は、消火剤として有効に使用することができるＨＦＯ−１２２４ｙｄを含む組成物を含む。
【発明を実施するための形態】
【００１６】
用語「消す」は、通常、火の完全な排除を示すために使用されるが、「抑制」は、火の低減を示すためにしばしば使用され、必ずしも完全な排除ではない。
【００１７】
本明細書における本発明の説明のために、識別された成分の量に関する用語「約」は、識別された成分の量が、＋／−１重量％の量だけ変動し得ることを意味する。本発明の消火剤は、好ましい実施形態では、「約」であるものとして指定された量の識別された化合物又は成分を含み、この量は、識別された量の＋／−０．５重量％、又は＋／−０．３重量％である。
【００１８】
温度に関して、用語「約」は、記載された温度が＋／−５℃の量だけ変動し得ることを意味する。好ましい実施形態では、「約」として識別される温度は、＋／−２℃、又は＋／−１℃、又は＋／−０．５℃の量による指定の温度を含む。
【００１９】
秒で表される時間に関して、用語「約」は、記載された時間が＋／−２ｓの量だけ変動し得ることを意味する。好ましい実施形態では、「約」として識別される時間は、好ましくは、＋／−１ｓ、又は＋／−０．５ｓの指定の時間を含む。
【００２０】
ｐｓｉで表される圧力に関して、用語「約」は、記載された圧力が＋／−５ｐｓｉの量だけ変動し得ることを意味する。好ましい実施形態では、「約」として識別される圧力は、好ましくは、＋／−２ｐｓｉ、又は＋／−１ｐｓｉ、又は＋／−０．５ｐｓｉｓの指定の圧力を含む。
【００２１】
用語ＨＦＯ−１２２４ｙｄは、１−クロロ−２，３，３，３−テトラフルオロプロペンを指し、したがって、特に指定がない限り、この用語は、シス異性体（ＨＦＯ−１２２４ｙｄ（Ｚ））、トランス異性体（ＨＦＯ−１２２４ｙｄ（Ｅ））、又はこれらの任意の組み合わせを包含する。
【００２２】
ＨＦＯ−１２２４ｙｄは、指定されていない異性体又は他の不純物を含んでもよく、但し、これらの他の成分は、指定された異性体の特質に対する材料効果を有さない。用語ＨＦＯ−１２３３ｚｄは、１−クロロ−３，３，３−トリフルオロプロペンを指し、したがって、特に指定がない限り、この用語は、シス異性体（ＨＦＯ−１２３３ｚｄ（Ｚ））、トランス異性体（ＨＦＯ−１２３３ｚｄ（Ｅ））、又はこれらの任意の組み合わせを包含する。
【００２３】
ＨＦＯ−１２３３ｚｄは、指定されていない異性体又は他の不純物を含んでもよく、但し、これらの他の成分は、特質に対する材料効果を有さない。
【００２４】
消火剤
本開示は、１−クロロ−２，３，３，３−テトラフルオロプロペン（ＨＦＯ−１２２４ｙｄ）を含む消火剤を提供する。
【００２５】
本明細書に記載される消火剤は、約５００以下、好ましくは約３００以下、より好ましくは約１５０以下の地球温暖化係数（ＧＷＰ）を有してもよい。好ましくは、消火剤は、約１５０以下のＧＷＰを有する。
【００２６】
本明細書に記載される消火剤は、約０．０２以下、好ましくは約０．０１以下のオゾン破壊係数を有してもよい。
【００２７】
ＨＦＯ−１２２４ｙｄは、トランス−ＨＦＯ−１２２４ｙｄから本質的になってよく、又はＨＦＯ−１２２４ｙｄは、トランス−ＨＦＯ−１２２４ｙｄからなってよい。あるいは、ＨＦＯ−１２２４ｙｄは、シス−ＨＦＯ−１２２４ｙｄから本質的になってよく、又はＨＦＯ−１２２４ｙｄは、シス−ＨＦＯ−１２２４ｙｄからなってよい。好ましくは、ＨＦＯ−１２２４ｙｄは、トランス−ＨＦＯ−１２２４ｙｄから本質的になるか、又はＨＦＯ−１２２４ｙｄは、トランス−ＨＦＯ−１２２４ｙｄからなる。
【００２８】
本開示は、ＨＦＯ−１２２４ｙｄを含む消火剤を提供する。但し、消火剤は、以下から本質的になるものではない。
【００２９】
ｉ）トランス−１−クロロ−２，３，３，３−テトラフルオロプロペン（ＨＦＯ−１２２４ｙｄ（Ｅ））及びトランス−１，１，１，４，４，５，５，５−オクタフルオロ−２−ペンテン（ＨＦＯ−１４３８ｍｚｚ（Ｅ））、又は
ｉｉ）トランス−１−クロロ−２，３，３，３−テトラフルオロプロペン（ＨＦＯ−１２２４ｙｄ（Ｅ））及びトランス−１，１，１，４，４，４−ヘキサフルオロ−２−ブテン（ＨＦＯ−１３３６ｍｚｚ（Ｅ））、又は
ｉｉｉ）トランス−１−クロロ−２，３，３，３−テトラフルオロプロペン（ＨＦＯ−１２２４ｙｄ（Ｅ））及び１，１，１，２，３−ペンタフルオロプロパン（ＨＦＣ−２４５ｅｂ）。
【００３０】
好ましくは、本開示は、ＨＦＯ−１２２４ｙｄを含み、かつトランス−１，１，１，４，４，５，５，５−オクタフルオロ−２−ペンテン（ＨＦＯ−１４３８ｍｚｚ（Ｅ））、トランス−１，１，１，４，４，４−ヘキサフルオロ−２−ブテン（ＨＦＯ−１３３６ｍｚｚ（Ｅ））、又は１，１，１，２，３−ペンタフルオロプロパン（ＨＦＣ−２４５ｅｂ）を含まない消火剤を提供する。
【００３１】
本開示は、ＨＦＯ−１２２４ｙｄ（Ｅ）を含む消火剤を提供する。但し、消火剤は、以下から本質的になるものではない。
【００３２】
ｉ）トランス−１−クロロ−２，３，３，３−テトラフルオロプロペン（ＨＦＯ−１２２４ｙｄ（Ｅ））及びトランス−１，１，１，４，４，５，５，５−オクタフルオロ−２−ペンテン（ＨＦＯ−１４３８ｍｚｚ（Ｅ））、又は
ｉｉ）トランス−１−クロロ−２，３，３，３−テトラフルオロプロペン（ＨＦＯ−１２２４ｙｄ（Ｅ））及びトランス−１，１，１，４，４，４−ヘキサフルオロ−２−ブテン（ＨＦＯ−１３３６ｍｚｚ（Ｅ））、又は
ｉｉｉ）トランス−１−クロロ−２，３，３，３−テトラフルオロプロペン（ＨＦＯ−１２２４ｙｄ（Ｅ））及び１，１，１，２，３−ペンタフルオロプロパン（ＨＦＣ−２４５ｅｂ）。
【００３３】
好ましくは、本開示は、ＨＦＯ−１２２４ｙｄ（Ｅ）を含み、かつトランス−１，１，１，４，４，５，５，５−オクタフルオロ−２−ペンテン（ＨＦＯ−１４３８ｍｚｚ（Ｅ））、トランス−１，１，１，４，４，４−ヘキサフルオロ−２−ブテン（ＨＦＯ−１３３６ｍｚｚ（Ｅ））、又は１，１，１，２，３−ペンタフルオロプロパン（ＨＦＣ−２４５ｅｂ）を含まない消火剤を提供する。
【００３４】
例えば、組成物は、ＨＦＯ−１２２４ｙｄを含んでもよく、ＨＦＯ−１２２４ｙｄは、ＨＦＯ−１２２４ｙｄ（Ｅ）から本質的になるか、又はそれからなる。
【００３５】
本開示はまた、ＨＦＯ−１２２４ｙｄ（Ｚ）を含む消火剤に関する。
【００３６】
例えば、組成物は、ＨＦＯ−１２２４ｙｄを含んでもよく、ＨＦＯ−１２２４ｙｄは、ＨＦＯ−１２２４ｙｄ（Ｚ）から本質的になる、又はそれからなる。
【００３７】
上述の消火剤は、広範な量でＨＦＯ−１２２４ｙｄを含み得ることが理解されよう。
【００３８】
例えば、ＨＦＯ−１２２４ｙｄは、消火剤の少なくとも約５重量％、少なくとも約１５重量％、少なくとも約３０重量％、少なくとも約５０重量％、少なくとも約７０重量％、又は少なくとも約９０％の量で存在してもよい。ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在してもよいことが理解されよう。
【００３９】
ＨＦＯ−１２２４ｙｄから本質的になるか、又はそれからなる消火剤
本明細書では、ＨＦＯ−１２２４ｙｄから本質的になる消火剤が提供される。また、ＨＦＯ−１２２４ｙｄからなる消火剤が提供される。
【００４０】
ＨＦＯ−１２２４ｙｄは、シス異性体、トランス異性体、又はこれらの任意の組み合わせとして存在し得る。
【００４１】
このように、本開示はまた、ＨＦＯ−１２２４ｙｄから本質的になる消火剤を提供し、ＨＦＯ−１２２４ｙｄは、ＨＦＯ−１２２４ｙｄ（Ｅ）から本質的になる。本開示は、ＨＦＯ−１２２４ｙｄからなる消火剤を提供し、ＨＦＯ−１２２４ｙｄは、ＨＦＯ−１２２４ｙｄ（Ｅ）からなることも理解されよう。
【００４２】
あるいは、ＨＦＯ−１２２４ｙｄから本質的になる消火剤を提供し、ＨＦＯ−１２２４ｙｄは、ＨＦＯ−１２２４ｙｄ（Ｚ）から本質的になる。本開示は、ＨＦＯ−１２２４ｙｄからなる消火剤を提供し、ＨＦＯ−１２２４ｙｄは、ＨＦＯ−１２２４ｙｄ（Ｚ）からなることも理解されよう。
【００４３】
ＨＦＯ−１２２４ｙｄ及び１つ以上の化合物を含む消火剤
本開示の更なる特徴において、ＨＦＯ−１２２４ｙｄと、ＨＦＣ−２４５ｆａ、ＨＣＦＣ−２２、ＨＦＣ−２３、ＨＣＦＣ−１２３、ＨＣＦＣ−１２３ａ、ＨＣＦＣ−１２３ｂ、ＨＣＦＣ−１２４、ＨＣＦＣ−１２４ａ、ＨＦＣ−１２５、ＨＦＣ−１３４、ＨＣＦＣ−１３４ａ、ＨＣＦＣ−１３２、ＨＦＣ−２２７ｅａ、ＨＦＣ−２２７ｃａ、ＨＦＣ−２３６ｆａ、ＨＦＣ−２３６ｅａ、ＨＦＣ−２３６ｃｂ、ＨＦＣ−２４５ｅａ、ＨＦＣ−２４５ｅｂ、ＨＦＣ−２４５ｃｂ、ＣＦ３Ｉ、１，１，１，２，２，４，５，５，５−ノナフルオロ−４−（トリフルオロメチル）−３−ペンタノン（ＦＫ５−１−１２）、１−クロロ−３，３，３−トリフルオロプロペン（ＨＦＯ−１２３３ｚｄ）及びこれらの組み合わせからなる群から選択される１つ以上の化合物と、を含む消火剤が提供される。好ましくは、消火剤は、ＨＦＯ−１２２４ｙｄ及び１つ以上の化合物から本質的になるか、又はそれからなる。
【００４４】
ＨＦＯ−１２２４ｙｄは、シス異性体、トランス異性体、又はこれらの任意の組み合わせとして存在し得る。
【００４５】
このように、本開示は、ＨＦＯ−１２２４ｙｄと、ＨＦＣ−２４５ｆａ、ＨＣＦＣ−２２、ＨＦＣ−２３、ＨＣＦＣ−１２３、ＨＣＦＣ−１２３ａ、ＨＣＦＣ−１２３ｂ、ＨＣＦＣ−１２４、ＨＣＦＣ−１２４ａ、ＨＦＣ−１２５、ＨＦＣ−１３４、ＨＣＦＣ−１３４ａ、ＨＣＦＣ−１３２、ＨＦＣ−２２７ｅａ、ＨＦＣ−２２７ｃａ、ＨＦＣ−２３６ｆａ、ＨＦＣ−２３６ｅａ、ＨＦＣ−２３６ｃｂ、ＨＦＣ−２４５ｅａ、ＨＦＣ−２４５ｅｂ、ＨＦＣ−２４５ｃｂ、ＣＦ３Ｉ、ＦＫ５−１−１２、ＨＦＯ−１２３３ｚｄ及びこれらの組み合わせからなる群から選択される１つ以上の化合物と、を含む消火剤を提供し、ＨＦＯ−１２２４ｙｄは、ＨＦＯ−１２２４ｙｄ（Ｅ）から本質的になるか、又はそれからなる。好ましくは、消火剤は、ＨＦＯ−１２２４ｙｄ及び１つ以上の化合物から本質的になるか、又はそれからなる。
【００４６】
本開示はまた、ＨＦＯ−１２２４ｙｄと、ＨＦＣ−２４５ｆａ、ＨＣＦＣ−２２、ＨＦＣ−２３、ＨＣＦＣ−１２３、ＨＣＦＣ−１２３ａ、ＨＣＦＣ−１２３ｂ、ＨＣＦＣ−１２４、ＨＣＦＣ−１２４ａ、ＨＦＣ−１２５、ＨＦＣ−１３４、ＨＣＦＣ−１３４ａ、ＨＣＦＣ−１３２、ＨＦＣ−２２７ｅａ、ＨＦＣ−２２７ｃａ、ＨＦＣ−２３６ｆａ、ＨＦＣ−２３６ｅａ、ＨＦＣ−２３６ｃｂ、ＨＦＣ−２４５ｅａ、ＨＦＣ−２４５ｅｂ、ＨＦＣ−２４５ｃｂ、ＣＦ３Ｉ、ＦＫ５−１−１２、ＨＦＯ−１２３３ｚｄ及びこれらの組み合わせからなる群から選択される１つ以上の化合物と、を含む消火剤を提供し、ＨＦＯ−１２２４ｙｄは、ＨＦＯ−１２２４ｙｄ（Ｚ）から本質的になるか、又はそれからなる。好ましくは、消火剤は、ＨＦＯ−１２２４ｙｄ及び１つ以上の化合物から本質的になるか、又はそれからなる。
【００４７】
ＨＦＯ−１２２４ｙｄは、広範な量で消火剤中に存在してもよい。例えば、ＨＦＯ−１２２４ｙｄは、消火剤の少なくとも約５重量％、少なくとも約１５重量％、少なくとも約３０重量％、少なくとも約５０重量％、少なくとも約７０重量％、又は少なくとも約９０％の量で存在してもよい。ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在してもよいことが理解されよう。
【００４８】
このように、消火剤は、ＨＦＯ−１２２４ｙｄと、ＨＦＣ−２４５ｆａ、ＨＣＦＣ−２２、ＨＦＣ−２３、ＨＣＦＣ−１２３、ＨＣＦＣ−１２３ａ、ＨＣＦＣ−１２３ｂ、ＨＣＦＣ−１２４、ＨＣＦＣ−１２４ａ、ＨＦＣ−１２５、ＨＦＣ−１３４、ＨＣＦＣ−１３４ａ、ＨＣＦＣ−１３２、ＨＦＣ−２２７ｅａ、ＨＦＣ−２２７ｃａ、ＨＦＣ−２３６ｆａ、ＨＦＣ−２３６ｅａ、ＨＦＣ−２３６ｃｂ、ＨＦＣ−２４５ｅａ、ＨＦＣ−２４５ｅｂ、ＨＦＣ−２４５ｃｂ、ＣＦ３Ｉ、ＦＫ５−１−１２、ＨＦＯ−１２３３ｚｄ及びこれらの組み合わせからなる群から選択される１つ以上の化合物と、を含んでもよく、ＨＦＯ−１２２４ｙｄは、消火剤の少なくとも約５重量％、少なくとも約１５重量％、少なくとも約３０重量％、少なくとも約５０重量％、少なくとも約７０重量％、又は少なくとも約９０重量％の量で存在する。消火剤は、ＨＦＯ−１２２４ｙｄと、ＨＦＣ−２４５ｆａ、ＨＣＦＣ−２２、ＨＦＣ−２３、ＨＣＦＣ−１２３、ＨＣＦＣ−１２３ａ、ＨＣＦＣ−１２３ｂ、ＨＣＦＣ−１２４、ＨＣＦＣ−１２４ａ、ＨＦＣ−１２５、ＨＦＣ−１３４、ＨＣＦＣ−１３４ａ、ＨＣＦＣ−１３２、ＨＦＣ−２２７ｅａ、ＨＦＣ−２２７ｃａ、ＨＦＣ−２３６ｆａ、ＨＦＣ−２３６ｅａ、ＨＦＣ−２３６ｃｂ、ＨＦＣ−２４５ｅａ、ＨＦＣ−２４５ｅｂ、ＨＦＣ−２４５ｃｂ、ＣＦ３Ｉ、ＦＫ５−１−１２、ＨＦＯ−１２３３ｚｄ及びこれらの組み合わせからなる群から選択される１つ以上の化合物と、を含んでもよく、ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在することが理解されよう。好ましくは、消火剤は、ＨＦＯ−１２２４ｙｄ及び１つ以上の化合物から本質的になるか、又はそれからなる。
【００４９】
加えて、消火剤は、ＨＦＯ−１２２４ｙｄと、ＨＦＣ−２４５ｆａ、ＨＣＦＣ−２２、ＨＦＣ−２３、ＨＣＦＣ−１２３、ＨＣＦＣ−１２３ａ、ＨＣＦＣ−１２３ｂ、ＨＣＦＣ−１２４、ＨＣＦＣ−１２４ａ、ＨＦＣ−１２５、ＨＦＣ−１３４、ＨＣＦＣ−１３４ａ、ＨＣＦＣ−１３２、ＨＦＣ−２２７ｅａ、ＨＦＣ−２２７ｃａ、ＨＦＣ−２３６ｆａ、ＨＦＣ−２３６ｅａ、ＨＦＣ−２３６ｃｂ、ＨＦＣ−２４５ｅａ、ＨＦＣ−２４５ｅｂ、ＨＦＣ−２４５ｃｂ、ＣＦ３Ｉ、ＦＫ５−１−１２、ＨＦＯ−１２３３ｚｄ及びこれらの組み合わせからなる群から選択される１つ以上の化合物と、を含んでもよく、ＨＦＯ−１２２４ｙｄは、消火剤の少なくとも約５重量％、少なくとも約１５重量％、少なくとも約３０重量％、少なくとも約５０重量％、少なくとも約７０重量％、又は少なくとも約９０重量％の量で存在し、ＨＦＯ−１２２４ｙｄは、ＨＦＯ−１２２４ｙｄ（Ｅ）から本質的になるか、又はそれからなる。消火剤は、ＨＦＯ−１２２４ｙｄと、ＨＦＣ−２４５ｆａ、ＨＣＦＣ−２２、ＨＦＣ−２３、ＨＣＦＣ−１２３、ＨＣＦＣ−１２３ａ、ＨＣＦＣ−１２３ｂ、ＨＣＦＣ−１２４、ＨＣＦＣ−１２４ａ、ＨＦＣ−１２５、ＨＦＣ−１３４、ＨＣＦＣ−１３４ａ、ＨＣＦＣ−１３２、ＨＦＣ−２２７ｅａ、ＨＦＣ−２２７ｃａ、ＨＦＣ−２３６ｆａ、ＨＦＣ−２３６ｅａ、ＨＦＣ−２３６ｃｂ、ＨＦＣ−２４５ｅａ、ＨＦＣ−２４５ｅｂ、ＨＦＣ−２４５ｃｂ、ＣＦ３Ｉ、ＦＫ５−１−１２、ＨＦＯ−１２３３ｚｄ及びこれらの組み合わせからなる群から選択される１つ以上の化合物と、を含んでもよく、ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在し、ＨＦＯ−１２２４ｙｄは、ＨＦＯ−１２２４ｙｄ（Ｅ）から本質的になるか、又はそれからなることが理解されよう。好ましくは、消火剤は、ＨＦＯ−１２２４ｙｄ及び１つ以上の化合物から本質的になるか、又はそれからなる。
【００５０】
加えて、消火剤は、ＨＦＯ−１２２４ｙｄと、ＨＦＣ−２４５ｆａ、ＨＣＦＣ−２２、ＨＦＣ−２３、ＨＣＦＣ−１２３、ＨＣＦＣ−１２３ａ、ＨＣＦＣ−１２３ｂ、ＨＣＦＣ−１２４、ＨＣＦＣ−１２４ａ、ＨＦＣ−１２５、ＨＦＣ−１３４、ＨＣＦＣ−１３４ａ、ＨＣＦＣ−１３２、ＨＦＣ−２２７ｅａ、ＨＦＣ−２２７ｃａ、ＨＦＣ−２３６ｆａ、ＨＦＣ−２３６ｅａ、ＨＦＣ−２３６ｃｂ、ＨＦＣ−２４５ｅａ、ＨＦＣ−２４５ｅｂ、ＨＦＣ−２４５ｃｂ、ＣＦ３Ｉ、ＦＫ５−１−１２、ＨＦＯ−１２３３ｚｄ及びこれらの組み合わせからなる群から選択される１つ以上の化合物と、を含んでもよく、ＨＦＯ−１２２４ｙｄは、消火剤の少なくとも約５重量％、少なくとも約１５重量％、少なくとも約３０重量％、少なくとも約５０重量％、少なくとも約７０重量％、又は少なくとも約９０重量％の量で存在し、ＨＦＯ−１２２４ｙｄは、ＨＦＯ−１２２４ｙｄ（Ｚ）から本質的になるか、又はそれからなる。消火剤は、ＨＦＯ−１２２４ｙｄと、ＨＦＣ−２４５ｆａ、ＨＣＦＣ−２２、ＨＦＣ−２３、ＨＣＦＣ−１２３、ＨＣＦＣ−１２３ａ、ＨＣＦＣ−１２３ｂ、ＨＣＦＣ−１２４、ＨＣＦＣ−１２４ａ、ＨＦＣ−１２５、ＨＦＣ−１３４、ＨＣＦＣ−１３４ａ、ＨＣＦＣ−１３２、ＨＦＣ−２２７ｅａ、ＨＦＣ−２２７ｃａ、ＨＦＣ−２３６ｆａ、ＨＦＣ−２３６ｅａ、ＨＦＣ−２３６ｃｂ、ＨＦＣ−２４５ｅａ、ＨＦＣ−２４５ｅｂ、ＨＦＣ−２４５ｃｂ、ＣＦ３Ｉ、ＦＫ５−１−１２、ＨＦＯ−１２３３ｚｄ及びこれらの組み合わせからなる群から選択される１つ以上の化合物と、を含んでもよく、ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在し、ＨＦＯ−１２２４ｙｄは、ＨＦＯ−１２２４ｙｄ（Ｚ）から本質的になるか、又はそれからなることが理解されよう。好ましくは、消火剤は、ＨＦＯ−１２２４ｙｄ及び１つ以上の化合物から本質的になるか、又はそれからなる。
【００５１】
ＨＯ−１２２４ｙｄ及び１つ以上の化合物を含むか、それらから本質的になるか、又はそれらからなる消火剤は、約５００以下、好ましくは約３００以下、より好ましくは約１５０以下の地球温暖化係数（ＧＷＰ）を有してもよい。好ましくは、消火剤は、約１５０以下のＧＷＰを有する。
【００５２】
ＨＯ−１２２４ｙｄ及び１つ以上の化合物を含むか、それらから本質的になるか、又はそれらからなる消火剤は、約０．０２以下、好ましくは約０．０１以下のオゾン破壊係数を有してもよい。
【００５３】
ＨＦＯ−１２２４ｙｄ及びＨＦＯ−１２３３ｚｄを含む消火剤
好ましくは、本開示は、ＨＦＯ−１２２４ｙｄ及びＨＦＯ−１２３３ｚｄを含む消火剤を提供する。
【００５４】
ＨＦＯ−１２２４ｙｄは、シス異性体、トランス異性体、又はこれらの任意の組み合わせとして存在し得る。
【００５５】
このように、本発明は、ＨＦＯ−１２２４ｙｄ及びＨＦＯ−１２３３ｚｄを含む消火剤を提供し、ＨＦＯ−１２２４ｙｄは、ＨＦＯ−１２２４ｙｄ（Ｅ）から本質的になるか、又はそれからなる。
【００５６】
ＨＦＯ−１２３３ｚｄは、シス異性体、トランス異性体、又はこれらの任意の組み合わせとして存在してもよいことが理解されよう。このように、本発明は、ＨＦＯ−１２２４ｙｄ及びＨＦＯ−１２３３ｚｄを含む消火剤を提供し、ＨＦＯ−１２２４ｙｄは、ＨＦＯ−１２２４ｙｄ（Ｅ）から本質的になるか、又はそれからなり、ＨＦＯ−１２３３ｚｄは、ＨＦＯ−１２３３ｚｄ（Ｅ）から本質的になるか、又はそれからなる。本発明はまた、ＨＦＯ−１２２４ｙｄ及びＨＦＯ−１２３３ｚｄを含む消火剤を提供し、ＨＦＯ−１２２４ｙｄは、ＨＦＯ−１２２４ｙｄ（Ｅ）から本質的になるか、又はそれからなり、ＨＦＯ−１２３３ｚｄは、ＨＦＯ−１２３３ｚｄ（Ｚ）から本質的になるか、又はそれからなる。
【００５７】
あるいは、本開示は、ＨＦＯ−１２２４ｙｄ及びＨＦＯ−１２３３ｚｄを含む消火剤を提供し、ＨＦＯ−１２２４ｙｄは、ＨＦＯ−１２２４ｙｄ（Ｚ）から本質的になるか、又はそれからなる。
【００５８】
ＨＦＯ−１２３３ｚｄは、シス異性体、トランス異性体、又はこれらの任意の組み合わせとして存在してもよいことが理解されよう。よって、本開示は、ＨＦＯ−１２２４ｙｄ及びＨＦＯ−１２３３ｚｄを含む消火剤を提供し、ＨＦＯ−１２２４ｙｄは、ＨＦＯ−１２２４ｙｄ（Ｚ）から本質的になるか、又はそれからなり、ＨＦＯ−１２３３ｚｄは、ＨＦＯ−１２３３ｚｄ（Ｅ）から本質的になるか、又はそれからなる。本開示はまた、ＨＦＯ−１２２４ｙｄ及びＨＦＯ−１２３３ｚｄを含む消火剤を提供し、ＨＦＯ−１２２４ｙｄは、ＨＦＯ−１２２４ｙｄ（Ｚ）から本質的になるか、又はそれからなり、ＨＦＯ−１２３３ｚｄは、ＨＦＯ−１２３３ｚｄ（Ｚ）から本質的になるか、又はそれからなる。
【００５９】
ＨＦＯ−１２２４ｙｄ及びＨＦＯ−１２３３ｚｄは、広範囲に及ぶ量で存在してもよい。例えば、ＨＦＯ−１２２４ｙｄは、消火剤の少なくとも約５重量％、少なくとも約１５重量％、少なくとも約３０重量％、少なくとも約５０重量％、少なくとも約７０重量％、又は少なくとも約９０％の量で存在してもよい。ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在してもよいことが理解されよう。
【００６０】
ＨＦＯ−１２３３ｚｄは、消火剤の少なくとも約２重量％、少なくとも約５重量％、又は少なくとも約１０重量％の量で存在してもよいことが理解されよう。
【００６１】
更に、ＨＦＯ−１２２４ｙｄは、少なくとも約１５重量％の量で消火剤中に存在してもよく、かつ／又はＨＦＯ−１２３３ｚｄは、少なくとも約１５重量％の量で消火剤中に存在してもよい。また、ＨＦＯ−１２２４ｙｄは、少なくとも約２５重量％の量で消火剤中に存在してもよく、かつ／又はＨＦＯ−１２３３ｚｄは、少なくとも約２５重量％の量で消火剤中に存在してもよいことが理解されよう。
【００６２】
このように、本開示は、ＨＦＯ−１２２４ｙｄ及びＨＦＯ−１２３３ｚｄを含む消火剤を提供し、ＨＦＯ−１２２４ｙｄは、消火剤の少なくとも約５重量％、少なくとも約１５重量％、少なくとも約３０重量％、少なくとも約５０重量％、少なくとも約７０重量％、若しくは少なくとも約９０重量％の量で存在し、かつ／又はＨＦＯ−１２３３ｚｄは、消火剤の少なくとも約２重量％、少なくとも約５重量％、若しくは少なくとも約１０重量％の量で存在する。好ましくは、消火剤は、ＨＦＯ−１２２４ｙｄ及びＨＦＯ−１２３３ｚｄから本質的になるか、又はそれらからなる。
【００６３】
本開示はまた、ＨＦＯ−１２２４ｙｄ及びＨＦＯ−１２３３ｚｄを含む消火剤を提供し、ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在する。好ましくは、消火剤は、ＨＦＯ−１２２４ｙｄ及びＨＦＯ−１２３３ｚｄから本質的になるか、又はそれらからなる。
【００６４】
本開示はまた、ＨＦＯ−１２２４ｙｄ及びＨＦＯ−１２３３ｚｄを含む消火剤を提供し、ＨＦＯ−１２２４ｙｄは、少なくとも約１５重量％の量で存在し、ＨＦＯ−１２３３ｚｄは、少なくとも約１５重量％の量で存在するか、又はＨＦＯ−１２２４ｙｄは、少なくとも約２５重量％の量で存在し、ＨＦＯ−１２３３ｚｄは、少なくとも約２５重量％の量で存在する。好ましくは、消火剤は、ＨＦＯ−１２２４ｙｄ及びＨＦＯ−１２３３ｚｄから本質的になるか、又はそれらからなる。
【００６５】
加えて、本開示は、ＨＦＯ−１２２４ｙｄ及びＨＦＯ−１２３３ｚｄを含む消火剤を提供し、ＨＦＯ−１２２４ｙｄは、消火剤の少なくとも約５重量％、少なくとも約１５重量％、少なくとも約３０重量％、少なくとも約５０重量％、少なくとも約７０重量％、若しくは少なくとも約９０重量％の量で存在し、かつ／又はＨＦＯ−１２３３ｚｄは、消火剤の少なくとも約２重量％、少なくとも約５重量％、若しくは少なくとも約１０重量％の量で存在し、ＨＦＯ−１２２４ｙｄは、ＨＦＯ−１２２４ｙｄ（Ｅ）から本質的になる又はそれからなる。ＨＦＯ−１２３３ｚｄは、ＨＦＯ−１２３３ｚｄ（Ｅ）又はＨＦＯ−１２３３ｚｄ（Ｚ）から本質的になってもよく、又はそれからなってもよい。好ましくは、ＨＦＯ−１２３３ｚｄは、ＨＦＯ−１２３３ｚｄ（Ｅ）から本質的になるか、又はそれからなる。好ましくは、消火剤は、ＨＦＯ−１２２４ｙｄ及びＨＦＯ−１２３３ｚｄから本質的になるか、又はそれらからなる。
【００６６】
本開示はまた、ＨＦＯ−１２２４ｙｄ及びＨＦＯ−１２３３ｚｄを含む消火剤を提供し、ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在し、ＨＦＯ−１２２４ｙｄは、ＨＦＯ−１２２４ｙｄ（Ｅ）から本質的になるか、又はそれからなる。ＨＦＯ−１２３３ｚｄは、ＨＦＯ−１２３３ｚｄ（Ｅ）又はＨＦＯ−１２３３ｚｄ（Ｚ）から本質的になってもよく、又はそれからなってもよい。好ましくは、ＨＦＯ−１２３３ｚｄは、ＨＦＯ−１２３３ｚｄ（Ｅ）から本質的になるか、又はそれからなる。好ましくは、消火剤は、ＨＦＯ−１２２４ｙｄ及びＨＦＯ−１２３３ｚｄから本質的になるか、又はそれらからなる。
【００６７】
本開示はまた、ＨＦＯ−１２２４ｙｄ及びＨＦＯ−１２３３ｚｄを含む消火剤を提供し、ＨＦＯ−１２２４ｙｄは、少なくとも約１５重量％の量で存在し、かつ／若しくはＨＦＯ−１２３３ｚｄは、少なくとも約１５重量％の量で存在するか、又はＨＦＯ−１２２４ｙｄは、少なくとも約２５重量％の量で存在し、かつ／若しくはＨＦＯ−１２３３ｚｄは、少なくとも約２５重量％の量で存在し、ＨＦＯ−１２２４ｙｄは、ＨＦＯ−１２２４ｙｄ（Ｅ）から本質的になるか、又はそれからなる。ＨＦＯ−１２３３ｚｄは、ＨＦＯ−１２３３ｚｄ（Ｅ）又はＨＦＯ−１２３３ｚｄ（Ｚ）から本質的になってもよく、又はそれからなってよい。好ましくは、ＨＦＯ−１２３３ｚｄは、ＨＦＯ−１２３３ｚｄ（Ｅ）から本質的になるか、又はそれからなる。好ましくは、消火剤は、ＨＦＯ−１２２４ｙｄ及びＨＦＯ−１２３３ｚｄから本質的になるか、又はそれらからなる。
【００６８】
加えて、本開示は、ＨＦＯ−１２２４ｙｄ及びＨＦＯ−１２３３ｚｄを含む消火剤を提供し、ＨＦＯ−１２２４ｙｄは、消火剤の少なくとも約５重量％、少なくとも約１５重量％、少なくとも約３０重量％、少なくとも約５０重量％、少なくとも約７０重量％、若しくは少なくとも約９０重量の量で存在し、かつ／又はＨＦＯ−１２３３ｚｄは、消火剤の少なくとも約２重量％、少なくとも約５重量％、若しくは少なくとも約１０％の量で存在し、ＨＦＯ−１２２４ｙｄは、ＨＦＯ−１２２４ｙｄ（Ｚ）から本質的になるか、又はそれからなる。ＨＦＯ−１２３３ｚｄは、ＨＦＯ−１２３３ｚｄ（Ｅ）又はＨＦＯ−１２３３ｚｄ（Ｚ）から本質的になってもよく、又はそれからなってよい。好ましくは、ＨＦＯ−１２３３ｚｄは、ＨＦＯ−１２３３ｚｄ（Ｅ）から本質的になるか、又はそれからなる。好ましくは、消火剤は、ＨＦＯ−１２２４ｙｄ及びＨＦＯ−１２３３ｚｄから本質的になるか、又はそれらからなる。
【００６９】
本開示はまた、ＨＦＯ−１２２４ｙｄ及びＨＦＯ−１２３３ｚｄを含む消火剤を提供し、ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在し、ＨＦＯ−１２２４ｙｄは、ＨＦＯ−１２２４ｙｄ（Ｚ）から本質的になるか、又はそれからなる。ＨＦＯ−１２３３ｚｄは、ＨＦＯ−１２３３ｚｄ（Ｅ）又はＨＦＯ−１２３３ｚｄ（Ｚ）から本質的になってもよく、又はそれからなってよい。好ましくは、ＨＦＯ−１２３３ｚｄは、ＨＦＯ−１２３３ｚｄ（Ｅ）から本質的になるか、又はそれからなる。好ましくは、消火剤は、ＨＦＯ−１２２４ｙｄ及びＨＦＯ−１２３３ｚｄから本質的になるか、又はそれらからなる。
【００７０】
本開示はまた、ＨＦＯ−１２２４ｙｄ及びＨＦＯ−１２３３ｚｄを含む消火剤を提供し、ＨＦＯ−１２２４ｙｄは、少なくとも約１５重量％の量で存在し、かつ／若しくはＨＦＯ−１２３３ｚｄは、少なくとも約１５重量％の量で存在するか、又はＨＦＯ−１２２４ｙｄは、少なくとも約２５重量％の量で存在し、かつ／若しくはＨＦＯ−１２３３ｚｄは、少なくとも約２５重量％の量で存在し、ＨＦＯ−１２２４ｙｄは、ＨＦＯ−１２２４ｙｄ（Ｚ）から本質的になるか、又はそれからなる。ＨＦＯ−１２３３ｚｄは、ＨＦＯ−１２３３ｚｄ（Ｅ）又はＨＦＯ−１２３３ｚｄ（Ｚ）から本質的になってもよく、又はそれからなってよい。好ましくは、ＨＦＯ−１２３３ｚｄは、ＨＦＯ−１２３３ｚｄ（Ｅ）から本質的になるか、又はそれからなる。好ましくは、消火剤は、ＨＦＯ−１２２４ｙｄ及びＨＦＯ−１２３３ｚｄから本質的になるか、又はそれらからなる。
【００７１】
ＨＦＯ−１２２４ｙｄ及びＨＦＯ−１２３３ｚｄを含む消火剤は、１つ以上の更なる成分を含んでもよいことが理解されよう。例えば、ＨＦＯ−１２２４ｙｄ及びＨＦＯ−１２３３ｚｄを含む消火剤は、ＨＦＣ−２４５ｆａ、ＨＣＦＣ−２２、ＨＦＣ−２３、ＨＣＦＣ−１２３、ＨＣＦＣ−１２３ａ、ＨＣＦＣ−１２３ｂ、ＨＣＦＣ−１２４、ＨＣＦＣ−１２４ａ、ＨＦＣ−１２５、ＨＦＣ−１３４、ＨＣＦＣ−１３４ａ、ＨＣＦＣ−１３２、ＨＦＣ−２２７ｅａ、ＨＦＣ−２２７ｃａ、ＨＦＣ−２３６ｆａ、ＨＦＣ−２３６ｅａ、ＨＦＣ−２３６ｃｂ、ＨＦＣ−２４５ｅａ、ＨＦＣ−２４５ｅｂ、ＨＦＣ−２４５ｃｂ、ＣＦ３Ｉ、及びＦＫ５−１−１２からなる群から選択される１つ以上の更なる化合物を含んでもよい。
【００７２】
あるいは、消火剤は、ＨＦＯ−１２２４ｙｄ及びＨＦＯ−１２３３ｚｄから本質的になってもよく、又はそれらからなってもよい。好ましくは、消火剤は、ＨＦＯ−１２２４ｙｄ及びＨＦＯ−１２３３ｚｄから本質的になるか、又はそれらからなる。
【００７３】
ＨＦＯ−１２２４ｙｄ及びＨＦＯ−１２３３ｚｄを含むか、それらから本質的になるか、又はそれらからなる消火剤は、約５００以下、好ましくは約３００以下、より好ましくは約１５０以下の地球温暖化係数（ＧＷＰ）を有してもよい。好ましくは、消火剤は、約１５０以下のＧＷＰを有する。
【００７４】
ＨＦＯ−１２２４ｙｄ及びＨＦＯ−１２３３ｚｄを含むか、それらから本質的になるか、又はそれらからなる消火剤は、約０．０２以下、好ましくは約０．０１以下のオゾン層破壊係数を有してもよい。
【００７５】
ＨＦＯ−１２２４ｙｄ及びＦＫ５−１−１２を含む消火剤
本開示はまた、ＨＦＯ−１２２４ｙｄ及びＦＫ５−１−１２を含む消火剤を提供する。
【００７６】
ＨＦＯ−１２２４ｙｄは、シス異性体、トランス異性体、又はこれらの任意の組み合わせとして存在し得る。このように、本開示は、ＨＦＯ−１２２４ｙｄ及びＦＫ５−１−１２を含む消火剤を提供し、ＨＦＯ−１２２４ｙｄは、ＨＦＯ−１２２４ｙｄ（Ｅ）から本質的になるか、又はそれからなる。
【００７７】
あるいは、本開示は、ＨＦＯ−１２２４ｙｄ及びＦＫ５−１−１２を含む消火剤を提供し、ＨＦＯ−１２２４ｙｄは、ＨＦＯ−１２２４ｙｄ（Ｚ）から本質的になるか、又はそれからなる。
【００７８】
ＨＦＯ−１２２４ｙｄ及びＦＫ５−１−１２は、広範囲に及ぶ量で存在してもよい。例えば、ＨＦＯ−１２２４ｙｄは、消火剤の少なくとも約５重量％、少なくとも約１５重量％、少なくとも約３０重量％、少なくとも約５０重量％、少なくとも約７０重量％、又は少なくとも約９０％の量で存在してもよい。ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在してもよいことが理解されよう。
【００７９】
ＦＫ５−１−１２は、消火剤の少なくとも約２重量％、少なくとも約５重量％、又は少なくとも約１０重量％の量で存在してもよいことが理解されよう。
【００８０】
更に、ＨＦＯ−１２２４ｙｄは、少なくとも約１５重量％の量で消火剤中に存在してもよく、かつ／又はＦＫ５−１−１２は、少なくとも約１５重量％の量で消火剤中に存在してもよい。また、ＨＦＯ−１２２４ｙｄは、少なくとも約２５重量％の量で消火剤中に存在してもよく、かつ／又はＦＫ５−１−１２は、少なくとも約２５重量％の量で消火剤中に存在してもよいことが理解されよう。
【００８１】
このように、本開示は、ＨＦＯ−１２２４ｙｄ及びＦＫ５−１−１２を含む消火剤を提供し、ＨＦＯ−１２２４ｙｄは、消火剤の少なくとも約５重量％、少なくとも約１５重量％、少なくとも約３０重量％、少なくとも約５０重量％、少なくとも約７０重量％、若しくは少なくとも約９０重量％の量で存在し、かつ／又はＦＫ５−１−１２は、消火剤の少なくとも約２重量％、少なくとも約５重量％、若しくは少なくとも約１０重量％の量で存在する。好ましくは、消火剤は、ＨＦＯ−１２２４ｙｄ及びＦＫ５−１−１２から本質的になるか、又はそれらからなる。
【００８２】
本開示はまた、ＨＦＯ−１２２４ｙｄ及びＦＫ５−１−１２を含む消火剤を提供し、ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在する。好ましくは、消火剤は、ＨＦＯ−１２２４ｙｄ及びＦＫ５−１−１２から本質的になるか、又はそれらからなる。
【００８３】
本開示はまた、ＨＦＯ−１２２４ｙｄ及びＦＫ５−１−１２を含む消火剤を提供し、ＨＦＯ−１２２４ｙｄは、少なくとも約１５重量％の量で存在し、かつ／若しくはＦＫ５−１−１２は、少なくとも約１５重量％の量で存在するか、又はＨＦＯ−１２２４ｙｄは、少なくとも約２５重量％の量で存在し、かつ／若しくはＦＫ５−１−１２は、少なくとも約２５重量％の量で存在する。好ましくは、消火剤は、ＨＦＯ−１２２４ｙｄ及びＦＫ５−１−１２から本質的になるか、又はそれらからなる。
【００８４】
加えて、本開示は、ＨＦＯ−１２２４ｙｄ及びＦＫ５−１−１２を含む消火剤を提供し、ＨＦＯ−１２２４ｙｄは、ＨＦＯ−１２２４ｙｄ（Ｅ）から本質的になるか、又はそれからなり、ＨＦＯ−１２２４ｙｄは、消火剤の少なくとも約５重量％、少なくとも約１５重量％、少なくとも約３０重量％、少なくとも約５０重量％、少なくとも約７０重量％、若しくは少なくとも約９０重量％の量で存在し、かつ／又はＦＫ５−１−１２は、消火剤の少なくとも約２重量％、少なくとも約５重量％、若しくは少なくとも約１０重量％の量で存在する。好ましくは、消火剤は、ＨＦＯ−１２２４ｙｄ及びＦＫ５−１−１２から本質的になるか、又はそれらからなる。
【００８５】
本開示はまた、ＨＦＯ−１２２４ｙｄ及びＦＫ５−１−１２を含む消火剤を提供し、ＨＦＯ−１２２４ｙｄは、ＨＦＯ−１２２４ｙｄ（Ｅ）から本質的になるか、又はそれからなり、ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在する。好ましくは、消火剤は、ＨＦＯ−１２２４ｙｄ及びＦＫ５−１−１２から本質的になるか、又はそれらからなる。
【００８６】
本開示はまた、ＨＦＯ−１２２４ｙｄ及びＦＫ５−１−１２を含む消火剤を提供し、ＨＦＯ−１２２４ｙｄは、ＨＦＯ−１２２４ｙｄ（Ｅ）から本質的になるか、又はそれからなり、ＨＦＯ−１２２４ｙｄは、少なくとも約１５重量％の量で存在し、かつ／若しくはＦＫ５−１−１２は、少なくとも約１５重量％の量で存在するか、又はＨＦＯ−１２２４ｙｄは、少なくとも約２５重量％の量で存在し、かつ／若しくはＦＫ５−１−１２は、少なくとも約２５重量％の量で存在する。好ましくは、消火剤は、ＨＦＯ−１２２４ｙｄ及びＦＫ５−１−１２から本質的になるか、又はそれらからなる。
【００８７】
加えて、本開示は、ＨＦＯ−１２２４ｙｄ及びＦＫ５−１−１２を含む消火剤を提供し、ＨＦＯ−１２２４ｙｄは、ＨＦＯ−１２２４ｙｄ（Ｚ）から本質的になるか、又はそれからなり、ＨＦＯ−１２２４ｙｄは、消火剤の少なくとも約５重量％、少なくとも約１５重量％、少なくとも約３０重量％、少なくとも約５０重量％、少なくとも約７０重量％、若しくは少なくとも約９０重量％の量で存在し、かつ／又はＦＫ５−１−１２は、消火剤の少なくとも約２重量％、少なくとも約５重量％、若しくは少なくとも約１０重量％の量で存在する。好ましくは、消火剤は、ＨＦＯ−１２２４ｙｄ及びＦＫ５−１−１２から本質的になるか、又はそれらからなる。
【００８８】
本開示はまた、ＨＦＯ−１２２４ｙｄ及びＦＫ５−１−１２を含む消火剤を提供し、ＨＦＯ−１２２４ｙｄは、ＨＦＯ−１２２４ｙｄ（Ｚ）から本質的になるか、又はそれからなり、ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在する。好ましくは、消火剤は、ＨＦＯ−１２２４ｙｄ及びＦＫ５−１−１２から本質的になるか、又はそれらからなる。
【００８９】
本開示はまた、ＨＦＯ−１２２４ｙｄ及びＦＫ５−１−１２を含む消火剤を提供し、ＨＦＯ−１２２４ｙｄは、ＨＦＯ−１２２４ｙｄ（Ｚ）から本質的になるか若しくはそれからなり、かつ／又はＨＦＯ−１２２４ｙｄは、少なくとも約１５重量％の量で存在し、かつＦＫ５−１−１２は、少なくとも約１５重量％の量で存在するか、又はＨＦＯ−１２２４ｙｄは、少なくとも約２５重量％の量で存在し、かつ／若しくはＦＫ５−１−１２は、少なくとも約２５重量％の量で存在する。好ましくは、消火剤は、ＨＦＯ−１２２４ｙｄ及びＦＫ５−１−１２から本質的になるか、又はそれらからなる。
【００９０】
ＨＦＯ−１２２４ｙｄ及びＦＫ５−１−１２を含む消火剤は、１つ以上の更なる成分を含んでもよいことが理解されよう。例えば、ＨＦＯ−１２２４ｙｄ及びＦＫ５−１−１２を含む消火剤は、ＨＦＣ−２４５ｆａ、ＨＣＦＣ−２２、ＨＦＣ−２３、ＨＣＦＣ−１２３、ＨＣＦＣ−１２３ａ、ＨＣＦＣ−１２３ｂ、ＨＣＦＣ−１２４、ＨＣＦＣ−１２４ａ、ＨＦＣ−１２５、ＨＦＣ−１３４、ＨＣＦＣ−１３４ａ、ＨＣＦＣ−１３２、ＨＦＣ−２２７ｅａ、ＨＦＣ−２２７ｃａ、ＨＦＣ−２３６ｆａ、ＨＦＣ−２３６ｅａ、ＨＦＣ−２３６ｃｂ、ＨＦＣ−２４５ｅａ、ＨＦＣ−２４５ｅｂ、ＨＦＣ−２４５ｃｂ、ＣＦ３Ｉ、及びＨＦＯ−１２３３ｚｄからなる群から選択される１つ以上の更なる化合物を含んでもよい。
【００９１】
あるいは、消火剤は、ＨＦＯ−１２２４ｙｄ及びＦＫ５−１−１２から本質的になってもよく、又はそれらからなってもよい。好ましくは、消火剤は、ＨＦＯ−１２２４ｙｄ及びＦＫ５−１−１２から本質的になるか、又はそれらからなる。
【００９２】
ＨＦＯ−１２２４ｙｄ及びＦＫ５−１−１２を含むか、それらから本質的になるか、又はそれらからなる消火剤は、約５００以下、好ましくは約３００以下、より好ましくは約１５０以下の地球温暖化係数（ＧＷＰ）を有してもよい。好ましくは、消火剤は、約１５０以下のＧＷＰを有する。
【００９３】
ＨＦＯ−１２２４ｙｄ及びＦＫ５−１−１２を含むか、それらから本質的になるか、又はそれらからなる消火剤は、約０．０２以下、好ましくは約０．０１以下のオゾン層破壊係数を有してもよい。
【００９４】
ＨＦＯ−１２２４ｙｄ及びＨＦＣ−２２７ｅａを含む消火剤
本開示はまた、ＨＦＯ−１２２４ｙｄ及びＨＦＣ−２２７ｅａを含む消火剤を提供する。
【００９５】
ＨＦＯ−１２２４ｙｄは、シス異性体、トランス異性体、又はこれらの任意の組み合わせとして存在し得る。このように、本開示は、ＨＦＯ−１２２４ｙｄ及びＨＦＣ−２２７ｅａを含む消火剤を提供し、ＨＦＯ−１２２４ｙｄは、ＨＦＯ−１２２４ｙｄ（Ｅ）から本質的になるか、又はそれからなる。
【００９６】
あるいは、本開示は、ＨＦＯ−１２２４ｙｄ及びＨＦＣ−２２７ｅａを含む消火剤を提供し、ＨＦＯ−１２２４ｙｄは、ＨＦＯ−１２２４ｙｄ（Ｚ）から本質的になるか、又はそれからなる。
【００９７】
ＨＦＯ−１２２４ｙｄ及びＨＦＣ−２２７ｅａは、広範囲に及ぶ量で存在してもよい。例えば、ＨＦＯ−１２２４ｙｄは、消火剤の少なくとも約５重量％、少なくとも約１５重量％、少なくとも約３０重量％、少なくとも約５０重量％、少なくとも約７０重量％、又は少なくとも約９０％の量で存在してもよい。ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在してもよいことが理解されよう。
【００９８】
ＨＦＯ−２２７ｅａは、消火剤の少なくとも約２重量％、少なくとも約５重量％、又は少なくとも約１０重量％の量で存在し得ることが理解されよう。
【００９９】
更に、ＨＦＯ−１２２４ｙｄは、少なくとも約１５重量％の量で消火剤中に存在してもよく、かつ／又はＨＦＣ−２２７ｅａは、少なくとも約１５重量％の量で消火剤中に存在してもよい。また、ＨＦＯ−１２２４ｙｄは、少なくとも約２５重量％の量で消火剤中に存在してもよく、かつ／又はＨＦＣ−２２７ｅａは、少なくとも約２５重量％の量で消火剤中に存在してもよいことが理解されよう。
【０１００】
このように、本開示は、ＨＦＯ−１２２４ｙｄ及びＨＦＣ−２２７ｅａを含む消火剤を提供し、ＨＦＯ−１２２４ｙｄは、消火剤の少なくとも約５重量％、少なくとも約１５重量％、少なくとも約３０重量％、少なくとも約５０重量％、少なくとも約７０重量％、若しくは少なくとも約９０重量％の量で存在し、かつ／又はＨＦＣ−２２７ｅａは、消火剤の少なくとも約２重量％、少なくとも約５重量％、若しくは少なくとも約１０重量％の量で存在する。好ましくは、消火剤は、ＨＦＯ−１２２４ｙｄ及びＨＦＣ−２２７ｅａから本質的になるか、又はそれらからなる。
【０１０１】
本開示はまた、ＨＦＯ−１２２４ｙｄ及びＨＦＣ−２２７ｅａを含む消火剤を提供し、ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在する。好ましくは、消火剤は、ＨＦＯ−１２２４ｙｄ及びＨＦＣ−２２７ｅａから本質的になるか、又はそれらからなる。
【０１０２】
本開示はまた、ＨＦＯ−１２２４ｙｄ及びＨＦＣ−２２７ｅａを含む消火剤も提供し、ＨＦＯ−１２２４ｙｄは、少なくとも約１５重量％の量で存在し、かつ／若しくはＨＦＣ−２２７ｅａは、少なくとも約１５重量％の量で存在するか、又はＨＦＯ−１２２４ｙｄは、少なくとも約２５重量％の量で存在し、かつ／若しくはＨＦＣ−２２７ｅａは、少なくとも約２５重量％の量で存在する。好ましくは、消火剤は、ＨＦＯ−１２２４ｙｄ及びＨＦＣ−２２７ｅａから本質的になるか、又はそれらからなる。
【０１０３】
加えて、本開示は、ＨＦＯ−１２２４ｙｄ及びＨＦＣ−２２７ｅａを含む消火剤を提供し、ＨＦＯ−１２２４ｙｄは、ＨＦＯ−１２２４ｙｄ（Ｅ）から本質的になるか、又はそれからなり、ＨＦＯ−１２２４ｙｄは、消火剤の少なくとも約５重量％、少なくとも約１５重量％、少なくとも約３０重量％、少なくとも約５０重量％、少なくとも約７０重量％、若しくは少なくとも約９０重量％の量で存在し、かつ／又はＨＦＣ−２２７ｅａは、消火剤の少なくとも約２重量％、少なくとも約５重量％、若しくは少なくとも約１０重量％の量で存在する。好ましくは、消火剤は、ＨＦＯ−１２２４ｙｄ及びＨＦＣ−２２７ｅａから本質的になるか、又はそれらからなる。
【０１０４】
本開示はまた、ＨＦＯ−１２２４ｙｄ及びＨＦＣ−２２７ｅａを含む消火剤を提供し、ＨＦＯ−１２２４ｙｄは、ＨＦＯ−１２２４ｙｄ（Ｅ）から本質的になるか、又はそれからなり、ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在する。好ましくは、消火剤は、ＨＦＯ−１２２４ｙｄ及びＨＦＣ−２２７ｅａから本質的になるか、又はそれらからなる。
【０１０５】
本開示はまた、ＨＦＯ−１２２４ｙｄ及びＨＦＣ−２２７ｅａを含む消火剤を提供し、ＨＦＯ−１２２４ｙｄは、ＨＦＯ−１２２４ｙｄ（Ｅ）から本質的になるか、又はそれからなり、ＨＦＯ−１２２４ｙｄは、少なくとも約１５重量％の量で存在し、かつ／若しくはＨＦＣ−２２７ｅａは、少なくとも約１５重量％の量で存在するか、又はＨＦＯ−１２２４ｙｄは、少なくとも約２５重量％の量で存在し、かつ／若しくはＨＦＣ−２２７ｅａは、少なくとも約２５重量％の量で存在する。好ましくは、消火剤は、ＨＦＯ−１２２４ｙｄ及びＨＦＣ−２２７ｅａから本質的になるか、又はそれらからなる。
【０１０６】
加えて、本開示は、ＨＦＯ−１２２４ｙｄ及びＨＦＣ−２２７ｅａを含む消火剤を提供し、ＨＦＯ−１２２４ｙｄは、ＨＦＯ−１２２４ｙｄ（Ｚ）から本質的になるか、又はそれからなり、ＨＦＯ−１２２４ｙｄは、消火剤の少なくとも約５重量％、少なくとも約１５重量％、少なくとも約３０重量％、少なくとも約５０重量％、少なくとも約７０重量％、若しくは少なくとも約９０重量％の量で存在し、かつ／又はＨＦＣ−２２７ｅａは、消火剤の少なくとも約２重量％、少なくとも約５重量％、若しくは少なくとも約１０重量％の量で存在する。好ましくは、消火剤は、ＨＦＯ−１２２４ｙｄ及びＨＦＣ−２２７ｅａから本質的になるか、又はそれらからなる。
【０１０７】
本開示はまた、ＨＦＯ−１２２４ｙｄ及びＨＦＣ−２２７ｅａを含む消火剤を提供し、ＨＦＯ−１２２４ｙｄは、ＨＦＯ−１２２４ｙｄ（Ｚ）から本質的になるか、又はそれからなり、ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在する。好ましくは、消火剤は、ＨＦＯ−１２２４ｙｄ及びＨＦＣ−２２７ｅａから本質的になるか、又はそれらからなる。
【０１０８】
本開示はまた、ＨＦＯ−１２２４ｙｄ及びＨＦＣ−２２７ｅａを含む消火剤を提供し、ＨＦＯ−１２２４ｙｄは、ＨＦＯ−１２２４ｙｄ（Ｚ）から本質的になるか、又はそれからなり、ＨＦＯ−１２２４ｙｄは、少なくとも約１５重量％の量で存在し、かつ／若しくはＨＦＣ−２２７ｅａは、少なくとも約１５重量％の量で存在するか、又はＨＦＯ−１２２４ｙｄは、少なくとも約２５重量％の量で存在し、かつ／若しくはＨＦＣ−２２７ｅａは、少なくとも約２５重量％の量で存在する。好ましくは、消火剤は、ＨＦＯ−１２２４ｙｄ及びＨＦＣ−２２７ｅａから本質的になるか、又はそれらからなる。
【０１０９】
ＨＦＯ−１２２４ｙｄ及びＨＦＣ−２２７ｅａを含む消火剤は、１つ以上の更なる成分を含んでもよい。例えば、ＨＦＯ−１２２４ｙｄ及びＨＦＣ−２２７ｅａを含む消火剤は、ＨＦＣ−２４５ｆａ、ＨＣＦＣ−２２、ＨＦＣ−２３、ＨＣＦＣ−１２３、ＨＣＦＣ−１２３ａ、ＨＣＦＣ−１２３ｂ、ＨＣＦＣ−１２４、ＨＣＦＣ−１２４ａ、ＨＦＣ−１２５、ＨＦＣ−１３４、ＨＣＦＣ−１３４ａ、ＨＣＦＣ−１３２、ＨＦＣ−２２７ｃａ、ＨＦＣ−２３６ｆａ、ＨＦＣ−２３６ｅａ、ＨＦＣ−２３６ｃｂ、ＨＦＣ−２４５ｅａ、ＨＦＣ−２４５ｅｂ、ＨＦＣ−２４５ｃｂ、ＣＦ３Ｉ、ＦＫ５−１−１２、及びＨＦＯ−１２３３ｚｄからなる群から選択される１つ以上の更なる化合物を含んでもよい。
【０１１０】
あるいは、消火剤は、ＨＦＯ−１２２４ｙｄ及びＨＦＣ−２２７ｅａから本質的になってもよく、又はそれらからなってもよい。好ましくは、消火剤は、ＨＦＯ−１２２４ｙｄ及びＨＦＣ−２２７ｅａから本質的になるか、又はそれらからなる。
【０１１１】
ＨＦＯ−１２２４ｙｄ及びＨＦＣ−２２７ｅａを含むか、それらから本質的になるか、又はそれらからなる消火剤は、約５００以下、好ましくは約３００以下、より好ましくは約１５０以下の地球温暖化係数（ＧＷＰ）を有してもよい。好ましくは、消火剤は、約１５０以下のＧＷＰを有する。
【０１１２】
ＨＦＯ−１２２４ｙｄ及びＨＦＣ−２２７ｅａを含むか、それらから本質的になるか、又はそれらからなる消火剤は、約０．０２以下、好ましくは約０．０１以下のオゾン層破壊係数を有してもよい。
【０１１３】
ＨＦＯ−１２２４ｙｄ及びＣＦ３Ｉを含む消火剤
本開示はまた、ＨＦＯ−１２２４ｙｄ及びＣＦ３Ｉを含む消火剤を提供する。
【０１１４】
ＨＦＯ−１２２４ｙｄは、シス異性体、トランス異性体、又はこれらの任意の組み合わせとして存在し得る。このように、本開示は、ＨＦＯ−１２２４ｙｄ及びＣＦ３Ｉを含む消火剤を提供し、ＨＦＯ−１２２４ｙｄは、ＨＦＯ−１２２４ｙｄ（Ｅ）から本質的になるか、又はそれからなる。
【０１１５】
あるいは、本開示は、ＨＦＯ−１２２４ｙｄ及びＣＦ３Ｉを含む消火剤を提供し、ＨＦＯ−１２２４ｙｄは、ＨＦＯ−１２２４ｙｄ（Ｚ）から本質的になるか、又はそれからなる。
【０１１６】
ＨＦＯ−１２２４ｙｄ及びＣＦ３Ｉは、広範囲に及ぶ量で存在してもよい。例えば、ＨＦＯ−１２２４ｙｄは、消火剤の少なくとも約５重量％、少なくとも約１５重量％、少なくとも約３０重量％、少なくとも約５０重量％、少なくとも約７０重量％、又は少なくとも約９０％の量で存在してもよい。ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在してもよいことが理解されよう。
【０１１７】
ＣＦ３Ｉは、消火剤の少なくとも約２重量％、少なくとも約５重量％、又は少なくとも約１０重量％の量で存在してもよいことが理解されよう。
【０１１８】
更に、ＨＦＯ−１２２４ｙｄは、少なくとも約１５重量％の量で消火剤中に存在してもよく、かつ／又はＣＦ３Ｉは、少なくとも約１５重量％の量で消火剤中に存在してもよい。また、ＨＦＯ−１２２４ｙｄは、少なくとも約２５重量％の量で消火剤中に存在してもよく、かつ／又はＣＦ３Ｉは、少なくとも約２５重量％の量で消火剤中に存在してもよいことが理解されよう。
【０１１９】
このように、本開示は、ＨＦＯ−１２２４ｙｄ及びＣＦ３Ｉを含む消火剤を提供し、ＨＦＯ−１２２４ｙｄは、消火剤の少なくとも約５重量％、少なくとも約１５重量％、少なくとも約３０重量％、少なくとも約５０重量％、少なくとも約７０重量％、若しくは少なくとも約９０重量％の量で存在し、かつ／又はＣＦ３Ｉは、消火剤の少なくとも約２重量％、少なくとも約５重量％、若しくは少なくとも約１０重量％の量で存在する。好ましくは、消火剤は、ＨＦＯ−１２２４ｙｄ及びＣＦ３Ｉから本質的になるか、又はそれらからなる。
【０１２０】
本開示はまた、ＨＦＯ−１２２４ｙｄ及びＣＦ３Ｉを含む消火剤を提供し、ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在する。好ましくは、消火剤は、ＨＦＯ−１２２４ｙｄ及びＣＦ３Ｉから本質的になるか、又はそれらからなる。
【０１２１】
本開示はまた、ＨＦＯ−１２２４ｙｄ及びＣＦ３Ｉを含む消火剤も提供し、ＨＦＯ−１２２４ｙｄは、少なくとも約１５重量％の量で存在し、かつ／若しくはＣＦ３Ｉは、少なくとも約１５重量％の量で存在するか、又はＨＦＯ−１２２４ｙｄは、少なくとも約２５重量％の量で存在し、かつ／若しくはＣＦ３Ｉは、少なくとも約２５重量％の量で存在する。好ましくは、消火剤は、ＨＦＯ−１２２４ｙｄ及びＣＦ３Ｉから本質的になるか、又はそれらからなる。
【０１２２】
加えて、本開示は、ＨＦＯ−１２２４ｙｄ及びＣＦ３Ｉを含む消火剤を提供し、ＨＦＯ−１２２４ｙｄは、ＨＦＯ−１２２４ｙｄ（Ｅ）から本質的になるか、又はそれからなり、ＨＦＯ−１２２４ｙｄは、消火剤の少なくとも約５重量％、少なくとも約１５重量％、少なくとも約３０重量％、少なくとも約５０重量％、少なくとも約７０重量％、若しくは少なくとも約９０重量％の量で存在し、かつ／又はＣＦ３Ｉは、消火剤の少なくとも約２重量％、少なくとも約５重量％、若しくは少なくとも約１０重量％の量で存在する。好ましくは、消火剤は、ＨＦＯ−１２２４ｙｄ及びＣＦ３Ｉから本質的になるか、又はそれらからなる。
【０１２３】
本開示はまた、ＨＦＯ−１２２４ｙｄ及びＣＦ３Ｉを含む消火剤を提供し、ＨＦＯ−１２２４ｙｄは、ＨＦＯ−１２２４ｙｄ（Ｅ）から本質的になるか、又はそれからなり、ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在する。好ましくは、消火剤は、ＨＦＯ−１２２４ｙｄ及びＣＦ３Ｉから本質的になるか、又はそれらからなる。
【０１２４】
本開示はまた、ＨＦＯ−１２２４ｙｄ及びＣＦ３Ｉを含む消火剤を提供し、ＨＦＯ−１２２４ｙｄは、ＨＦＯ−１２２４ｙｄ（Ｅ）から本質的になるか、又はそれからなり、ＨＦＯ−１２２４ｙｄは、少なくとも約１５重量％の量で存在し、かつ／若しくはＣＦ３Ｉは、少なくとも約１５重量％の量で存在するか、又はＨＦＯ−１２２４ｙｄは、少なくとも約２５重量％の量で存在し、かつ／若しくはＣＦ３Ｉは、少なくとも約２５重量％の量で存在する。好ましくは、消火剤は、ＨＦＯ−１２２４ｙｄ及びＣＦ３Ｉから本質的になるか、又はそれらからなる。
【０１２５】
加えて、本開示は、ＨＦＯ−１２２４ｙｄ及びＣＦ３Ｉを含む消火剤を提供し、ＨＦＯ−１２２４ｙｄは、ＨＦＯ−１２２４ｙｄ（Ｚ）から本質的になるか、又はそれからなり、ＨＦＯ−１２２４ｙｄは、消火剤の少なくとも約５重量％、少なくとも約１５重量％、少なくとも約３０重量％、少なくとも約５０重量％、少なくとも約７０重量％、若しくは少なくとも約９０重量％の量で存在し、かつ／又はＣＦ３Ｉは、消火剤の少なくとも約２重量％、少なくとも約５重量％、若しくは少なくとも約１０重量％の量で存在する。好ましくは、消火剤は、ＨＦＯ−１２２４ｙｄ及びＣＦ３Ｉから本質的になるか、又はそれらからなる。
【０１２６】
本開示はまた、ＨＦＯ−１２２４ｙｄ及びＣＦ３Ｉを含む消火剤を提供し、ＨＦＯ−１２２４ｙｄは、ＨＦＯ−１２２４ｙｄ（Ｚ）から本質的になるか、又はそれからなり、ＨＦＯ−１２２４ｙｄは、消火剤の約５重量％〜約９５重量％、約１０重量％〜約９０重量％、約２０重量％〜約８０重量％、又は約３０重量％〜約７０重量％の量で存在する。好ましくは、消火剤は、ＨＦＯ−１２２４ｙｄ及びＣＦ３Ｉから本質的になるか、又はそれらからなる。
【０１２７】
本開示はまた、ＨＦＯ−１２２４ｙｄ及びＣＦ３Ｉを含む消火剤を提供し、ＨＦＯ−１２２４ｙｄは、ＨＦＯ−１２２４ｙｄ（Ｚ）から本質的になるか、又はそれからなり、ＨＦＯ−１２２４ｙｄは、少なくとも約１５重量％の量で存在し、かつ／若しくはＣＦ３Ｉは、少なくとも約１５重量％の量で存在するか、又はＨＦＯ−１２２４ｙｄは、少なくとも約２５重量％の量で存在し、かつ／若しくはＣＦ３Ｉは、少なくとも約２５重量％の量で存在する。好ましくは、消火剤は、ＨＦＯ−１２２４ｙｄ及びＣＦ３Ｉから本質的になるか、又はそれらからなる。
【０１２８】
ＨＦＯ−１２２４ｙｄ及びＣＦ３Ｉを含む消火剤は、１つ以上の更なる成分を含んでもよい。例えば、ＨＦＯ−１２２４ｙｄ及びＣＦ３Ｉを含む消火剤は、ＨＦＣ−２４５ｆａ、ＨＣＦＣ−２２、ＨＦＣ−２３、ＨＣＦＣ−１２３、ＨＣＦＣ−１２３ａ、ＨＣＦＣ−１２３ｂ、ＨＣＦＣ−１２４、ＨＣＦＣ−１２４ａ、ＨＦＣ−１２５、ＨＦＣ−１３４、ＨＣＦＣ−１３４ａ、ＨＣＦＣ−１３２、ＨＦＣ−２２７ｃａ、ＨＦＣ−２２７ｅａ、ＨＦＣ−２３６ｆａ、ＨＦＣ−２３６ｅａ、ＨＦＣ−２３６ｃｂ、ＨＦＣ−２４５ｅａ、ＨＦＣ−２４５ｅｂ、ＨＦＣ−２４５ｃｂ、ＦＫ５−１−１２、及びＨＦＯ−１２３３ｚｄからなる群から選択される１つ以上の更なる化合物を含んでもよい。
【０１２９】
あるいは、消火剤は、ＨＦＯ−１２２４ｙｄ及びＣＦ３Ｉから本質的になってもよく、又はそれらからなってもよい。好ましくは、消火剤は、ＨＦＯ−１２２４ｙｄ及びＣＦ３Ｉから本質的になるか、又はそれらからなる。
【０１３０】
ＨＦＯ−１２２４ｙｄ及びＣＦ３Ｉを含むか、それらから本質的になるか、又はそれらからなる消火剤は、約５００以下、好ましくは約３００以下、より好ましくは約１５０以下の地球温暖化係数（ＧＷＰ）を有してもよい。好ましくは、消火剤は、約１５０以下のＧＷＰを有する。
【０１３１】
ＨＦＯ−１２２４ｙｄ及びＣＦ３Ｉを含むか、それらから本質的になるか、又はそれらからなる消火剤は、約０．０２以下、好ましくは約０．０１以下のオゾン層破壊係数を有してもよい。
【０１３２】
組成物
本開示はまた、上で定義した消火剤を含む組成物を提供する。
【０１３３】
組成物は、本明細書に記載の消火剤の少なくとも約７０重量％、好ましくは少なくとも約９０重量％、より好ましくは少なくとも約９５重量％を含んでもよい。
【０１３４】
組成物は、噴射剤を含んでもよい。噴射剤は、消火される場所に保管される容器から消火剤を噴射するために使用されてもよい。好ましくは、噴射剤は、アルゴン（Ａｒ）、窒素（Ｎ２）、ヘリウム（Ｈｅ）、二酸化炭素（ＣＯ２）、及びこれらの組み合わせからなる群から選択される。より好ましくは、噴射剤は、Ａｒ及びＮ２から選択される。
【０１３５】
組成物は、１つ以上の解毒剤を含んでもよい。解毒剤は、約０．１重量％〜約１０重量％の量で組成物中に存在してもよい。１つ以上の解毒剤は、シトラール、リモネン、テルピネン、サビネン、オシメン、β−ピネン、フィトール、スクアレン、オレアノール、ルテイン、オレイン酸、エレオステアリン酸、パルミトレイン酸、シトロネラール、ジペンテン、テルピノレン、メンタジエン、ミルセン、テルペンチン、ビタミンＡ、ラノステロール、リコピン、α−テルピネオール、リノール酸、リンカニックアシッド（ｌｉｎｃａｎｉｃ  ａｃｉｄ）、ペトロセリン酸、シトロネロール、メントール、シルベストレン、ジンギベレン、α−ピネン、カンファー、アビエチン酸、サポニン、ベータカロチン、パラシメン（ｐａｒａ−ｃｙｍｅｍｅ）、リノレン酸、リシノール酸、バクセン酸、及びこれらの組み合わせからなる群から選択されてもよく、好ましくは、１つ以上の解毒剤はリモネンである。
【０１３６】
組成物は、消火剤、噴射剤、及び任意選択的に、上に定義された１つ以上の解毒剤から本質的になってもよい。
【０１３７】
方法及びシステム
本開示はまた、火炎を消す方法、又は火炎を抑制する方法を提供する。この方法は、火炎を本明細書に記載される消火剤と接触させる工程を含む。
【０１３８】
あるいは、この方法は、火炎を本明細書に記載される消火剤を含む組成物と接触させる工程を含む。組成物は、本明細書に開示される消火剤の少なくとも約７０重量％、好ましくは少なくとも約９０重量％、より好ましくは少なくとも約９５重量％を含んでもよい。
【０１３９】
組成物は、噴射剤を含んでもよい。噴射剤は、消火される場所に保管される容器から消火剤を噴射するために使用されてもよい。好ましくは、噴射剤は、アルゴン（Ａｒ）、窒素（Ｎ２）、ヘリウム（Ｈｅ）、二酸化炭素（ＣＯ２）、及びこれらの組み合わせからなる群から選択される。より好ましくは、噴射剤は、Ａｒ及びＮ２から選択される。
【０１４０】
組成物は、１つ以上の解毒剤を含んでもよい。解毒剤は、約０．１重量％〜約１０重量％の量で組成物中に存在してもよい。１つ以上の解毒剤は、シトラール、リモネン、テルピネン、サビネン、オシメン、β−ピネン、フィトール、スクアレン、オレアノール、ルテイン、オレイン酸、エレオステアリン酸、パルミトレイン酸、シトロネラール、ジペンテン、テルピノレン、メンタジエン、ミルセン、テルペンチン、ビタミンＡ、ラノステロール、リコピン、α−テルピネオール、リノール酸、リンカニックアシッド、ペトロセリン酸、シトロネロール、メントール、シルベストレン、ジンギベレン、α−ピネン、カンファー、アビエチン酸、サポニン、ベータカロチン、パラシメン、リノレン酸、リシノール酸、バクセン酸、及びこれらの組み合わせからなる群から選択されてもよく、好ましくは、１つ以上の解毒剤はリモネンである。
【０１４１】
組成物は、消火剤、噴射剤、及び任意選択的に、上に定義された１つ以上の解毒剤から本質的になってもよい。
【０１４２】
消火剤又は消火剤を含む組成物を火炎上に噴霧又は注入することができることが理解されよう。あるいは、火炎の少なくとも一部を消火剤又は消火剤を含む組成物に浸漬してもよい。
【０１４３】
本発明の消火剤は、トータルフラッディング用途、及びストリーミング用途において使用することができる。
【０１４４】
トータルフラッディング用途
本開示は、トータルフラッディング用途において火炎を消すための方法を提供する。トータルフラッディング用途は、密閉区域内の火炎を消すため、又は密閉区域を不活性にし、それによって火炎が伝播することを防止するためのいずれかに使用され得る。トータルフラッディング用途では、本明細書に開示される消火剤は、密閉区域内に排出される。次いで、消火剤は分散し、最初に液体である場合は蒸発して、空気及びガス状消火剤の混合物を形成する。消火剤が最小消火濃度（ＭＥＣ）を超え、それによって火炎消火を引き起こしたときに、消火の成功となる。しかしながら、無酸素症、消火剤毒性、又はその両方に起因して人々にとって有害な空気／消火大気の生成を防止するために、過剰な量の消火剤を使用することを回避することが望ましい。
【０１４５】
本開示は、密閉区域内の火炎を消すための方法を提供し、この方法は、
【０１４６】
任意選択的に、密閉区域内の火炎を検出する工程と、
【０１４７】
本明細書に記載される消火剤、又は本明細書に記載の消火剤を含む組成物を密閉区域内に排出し、それによって火炎を消す工程と、を含む。
【０１４８】
消火剤は、本明細書に記載される消火剤のいずれかであってもよい。消火剤は、火炎を消すのに十分な量で密閉区域内に排出されてもよい。好ましくは、火炎は、消火剤が最初に密閉区域内に排出される約６０秒以内、より好ましくは約３０秒以内に消される。好ましくは、消火剤は、約２０秒以内、より好ましくは約１０秒以内に排出される。
【０１４９】
密閉区域内の温度は、少なくとも約１５℃、少なくとも約２０℃、少なくとも約２５℃、又は少なくとも約３０℃であってもよい。
【０１５０】
密閉区域内の相対湿度（ＲＨ）は、少なくとも約２０％、好ましくは少なくとも約３５％、好ましくは少なくとも約５０％、より好ましくは少なくとも約６５％、より好ましくは少なくとも約８０％であってもよい。
【０１５１】
本開示はまた、密閉区域内の火を防止する方法（すなわち、不活性化の方法）を提供する。このように、本開示はまた、火を防止する方法を提供し、この方法は、本明細書に記載される消火剤、又は本明細書に記載される消火剤を含む組成物を密閉区域内に排出する工程を含む。
【０１５２】
消火剤は、本明細書に記載される消火剤のいずれかであってもよい。消火剤は、火炎の伝播を防止するのに十分な量で、密閉区域内に排出されてもよい。好ましくは、火炎は、消火剤が最初に密閉区域内に排出される約６０秒以内、より好ましくは約３０秒以内に消される。好ましくは、消火剤は、約２０秒以内、より好ましくは約１０秒以内に排出される。
【０１５３】
密閉区域内の温度は、少なくとも約１５℃、少なくとも約２０℃、少なくとも約２５℃、又は少なくとも約３０℃であってもよい。
【０１５４】
密閉区域内の相対湿度（ＲＨ）は、少なくとも約２０％、好ましくは少なくとも約３５％、好ましくは少なくとも約５０％、より好ましくは少なくとも約６５％、より好ましくは少なくとも約８０％であってもよい。
【０１５５】
密閉区域は、建築物若しくは構造体、船舶、自動車両若しくは鉄道車両、宇宙船、又は航空機の一部（又は全体）であり得る。用語「建築物又は構造体」は、永久的及び半永久的建築物又は構造体の両方を包含し、住宅、商業、又は工業建築物若しくは構造体であってもよい。例えば、密閉区域は、金庫室、コンピュータ室（例えば、コンピュータサーバー室）、航空機客室又はコックピット、船舶、自動車両、鉄道車両、宇宙船、又は航空機のエンジン室、博物館、図書館、文書保管所、石油パイプラインポンプステーション、航空機貨物室又は水上船倉などであり得る。
【０１５６】
このように、上の方法を使用して、密閉区域内に収容された価値のある品目、水害を受けやすい品目、又は可燃性材料（例えば、可燃性ガス又は液体を収容する容器）を火から保護することができる。
【０１５７】
本開示は、トータルフラッディングシステムを提供する。トータルフラッディングシステムは、密閉区域（複数可）（１）と、本明細書に記載される消火剤を含む１つ以上の容器（２）と、分配配管網（３）と、分配配管網（３）から密閉区域（複数可）（１）に消火剤を送達するためのオリフィス（ノズル又はスプリンクラなど）（４）と、を備える。このシステムは、任意選択的に、密閉区域（複数可）（１）内の火を検出するための１つ以上の検出器（５）を備えてもよい。このシステムはまた、検出制御システム（６）及び／又はアラーム（７）を備えてもよい。検出制御システム（６）は、１つ以上の容器（２）と連通していてもよく、これにより、火が検出されると、検出制御システム（６）は、消火剤を１つ以上の容器（２）から放出させる。
【０１５８】
消火剤は、本明細書に記載される消火剤のいずれかであってもよい。容器は、少なくとも約７０重量％、好ましくは少なくとも約９０重量％、より好ましくは少なくとも約９５重量％の量の消火剤を含んでもよい。
【０１５９】
容器は、噴射剤を追加的に含んでもよい。噴射剤は、容器から消火剤を噴射するために使用されてもよい。好ましくは、噴射剤は、アルゴン（Ａｒ）、窒素（Ｎ２）、ヘリウム（Ｈｅ）、二酸化炭素（ＣＯ２）、及びこれらの組み合わせからなる群から選択される。より好ましくは、噴射剤は、Ａｒ及びＮ２から選択される。
【０１６０】
容器は、２１℃で約８０〜約８００ｐｓｉの圧力に加圧されてもよい。
【０１６１】
容器は、代替的に又は追加的に、１つ以上の解毒剤を含んでもよい。解毒剤は、約０．１重量％〜約１０重量％の量で容器内に存在してもよい。１つ以上の解毒剤は、シトラール、リモネン、テルピネン、サビネン、オシメン、β−ピネン、フィトール、スクアレン、オレアノール、ルテイン、オレイン酸、エレオステアリン酸、パルミトレイン酸、シトロネラール、ジペンテン、テルピノレン、メンタジエン、ミルセン、テルペンチン、ビタミンＡ、ラノステロール、リコピン、α−テルピネオール、リノール酸、リンカニックアシッド、ペトロセリン酸、シトロネロール、メントール、シルベストレン、ジンギベレン、α−ピネン、カンファー、アビエチン酸、サポニン、ベータカロチン、パラシメン、リノレン酸、リシノール酸、バクセン酸、及びこれらの組み合わせからなる群から選択されてもよく、好ましくは、１つ以上の解毒剤はリモネンである。
【０１６２】
クラスＢの試験火を消すための最小消火濃度（ＭＥＣ）は、ＮＦＰＡ−２００１、２０１５  ＥｄｉｔｉｏｎのＡｎｎｅｘ  Ｂに設定されたカップバーナー法を使用して決定され得る。
【０１６３】
多くの国内及び国際規格は、わずかな余剰分を乗じた（例えば、１．３倍を乗じた）、ＭＥＣに等しい最小設計濃度（ＭＤＣ）を設定し、それによって、この量に考慮される安全マージンを有する濃度が算出されることが理解されよう。
【０１６４】
ストリーミング用途
本開示はまた、ストリーミング用途を使用して火炎を消すための方法を提供する。
【０１６５】
このように、本開示は、ストリーミング用途において火炎を抑制する又は消すための方法を提供し、この方法は、
【０１６６】
本明細書に開示される消火剤を含む容器、又は本明細書に開示される消火剤を含む組成物を火炎付近に輸送する工程であって、当該容器は、消火剤又は組成物を排出することが可能である、工程と、
【０１６７】
火炎を取り囲む区域に消火剤又は組成物を排出し、それによって火炎を抑制する又は消す工程と、を含む。
【０１６８】
消火剤は、本明細書に記載される消火剤のいずれかであってもよい。組成物は、本発明の消火剤の少なくとも約７０重量％、好ましくは少なくとも約９０重量％、より好ましくは少なくとも約９５重量％を含んでもよい。
【０１６９】
組成物は、噴射剤を含んでもよい。噴射剤は、消火される場所に保管される容器から消火剤を噴射するために使用されてもよい。好ましくは、噴射剤は、アルゴン（Ａｒ）、窒素（Ｎ２）、ヘリウム（Ｈｅ）、二酸化炭素（ＣＯ２）、及びこれらの組み合わせからなる群から選択される。より好ましくは、噴射剤は、Ａｒ及びＮ２から選択される。
【０１７０】
組成物は、１つ以上の解毒剤を含んでもよい。解毒剤は、約０．１重量％〜約１０重量％の量で組成物中に存在してもよい。１つ以上の解毒剤は、シトラール、リモネン、テルピネン、サビネン、オシメン、β−ピネン、フィトール、スクアレン、オレアノール、ルテイン、オレイン酸、エレオステアリン酸、パルミトレイン酸、シトロネラール、ジペンテン、テルピノレン、メンタジエン、ミルセン、テルペンチン、ビタミンＡ、ラノステロール、リコピン、α−テルピネオール、リノール酸、リンカニックアシッド、ペトロセリン酸、シトロネロール、メントール、シルベストレン、ジンギベレン、α−ピネン、カンファー、アビエチン酸、サポニン、ベータカロチン、パラシメン、リノレン酸、リシノール酸、バクセン酸、及びこれらの組み合わせからなる群から選択されてもよく、好ましくは、１つ以上の解毒剤はリモネンである。
【０１７１】
組成物は、消火剤、噴射剤、及び任意選択的に、上に定義された１つ以上の解毒剤から本質的になってもよい。
【０１７２】
本開示はまた、本発明の消火剤を含む容器を提供する。消火剤は、本明細書に記載される消火剤のいずれかであってもよい。容器は、消火剤を排出するように構成される。消火剤は、火炎を取り囲む区域に噴霧又は注入されてもよい。
【０１７３】
消火剤は手動で排出されてもよく、又は容器から自動的に排出されてもよい。例えば、シリンダは、作動されると消火剤又は消火剤を含む組成物をシリンダから放出するバルブアセンブリを収容してもよい。
【０１７４】
容器は、消火剤の少なくとも約７０重量％、好ましくは少なくとも約９０重量％、より好ましくは少なくとも約９５重量％を含んでもよい。
【０１７５】
容器は、噴射剤を含んでもよい。噴射剤は、容器から、消火される場所に消火剤を噴射するために使用されてもよい。好ましくは、噴射剤は、アルゴン（Ａｒ）、窒素（Ｎ２）、ヘリウム（Ｈｅ）、二酸化炭素（ＣＯ２）、及びこれらの組み合わせからなる群から選択される。より好ましくは、噴射剤は、Ａｒ及びＮ２から選択される。
【０１７６】
容器は、２１℃で約８０〜約８００ｐｓｉの圧力に加圧されてもよい。
【０１７７】
容器は、１つ以上の解毒剤を含んでもよい。解毒剤は、約０．１重量％〜約１０重量％の量で容器内に存在してもよい。１つ以上の解毒剤は、シトラール、リモネン、テルピネン、サビネン、オシメン、β−ピネン、フィトール、スクアレン、オレアノール、ルテイン、オレイン酸、エレオステアリン酸、パルミトレイン酸、シトロネラール、ジペンテン、テルピノレン、メンタジエン、ミルセン、テルペンチン、ビタミンＡ、ラノステロール、リコピン、α−テルピネオール、リノール酸、リンカニックアシッド、ペトロセリン酸、シトロネロール、メントール、シルベストレン、ジンギベレン、α−ピネン、カンファー、アビエチン酸、サポニン、ベータカロチン、パラシメン、リノレン酸、リシノール酸、バクセン酸、及びこれらの組み合わせからなる群から選択されてもよく、好ましくは、１つ以上の解毒剤はリモネンである。
【０１７８】
容器は、消火剤、噴射剤、及び任意選択的に、上に定義したような１つ以上の解毒剤から本質的になってもよい。
【０１７９】
容器は、手持ち式消火器であってもよい。
【０１８０】
試験
最小消火濃度（ＭＥＣ）は、クラスＢの試験火を消すために、ＮＦＰＡ−２００１、２０１５  ＥｄｉｔｉｏｎのＡｎｎｅｘ  Ｂに設定されたカップバーナー法を使用して決定され得る。
【０１８１】
多くの国内及び国際規格は、わずかな余剰分を乗じた（例えば、１．３倍を乗じた）、ＭＥＣに等しい最小設計濃度（ＭＤＣ）を設定し、それによって、この量に考慮される安全マージンを有する濃度が算出されることが理解されよう。
【０１８２】
消火剤が高温（例えば、約２５℃以上、又は約３０℃以上の温度）、及び／又は高湿度（例えば、少なくとも約２０％、好ましくは少なくとも約３５％、好ましくは少なくとも約５０％、より好ましくは少なくとも約６５％、より好ましくは少なくとも約８０％の相対湿度）で有効に機能する能力は、本明細書において「閉鎖ドラム試験」と称される以下の方法を使用して決定され得る。出願人らは、本発明の消火剤は、そのような例外的な結果を達成することができ、そのような結果は驚異的かつ予想外であると考えている。
【０１８３】
装置
１以下のように改変されたドラム、開放頭部、５５ガロン（２０８ｄｍ３）。
【０１８４】
１．１開放ドラム頭部上にクロージャを取り付ける。クロージャは、ヒンジ付きの蓋（図２）、又は厚さ１／２ミル（０．０１２７ｍｍ）のポリアミドフィルムのいずれかであってもよい。フィルムを使用する場合は、フィルムを以下のように適用する。
【０１８５】
１．１．１フィルムをドラムの開放端部の上に伸張させ、それを、１ポンド（０．４５ｋｇ）の塊をドラムの周囲の最低点から吊るした場合に、１インチ（２５ｍｍ）伸張する、強力なゴムバンドによって定位置に保持する。
【０１８６】
１．１．２フィルムに、ドラムの頂部から２インチ（５１ｍｍ）の点で始まる、１インチ（２５ｍｍ）の垂直スリットを入れる。
【０１８７】
１．１．３フィルムを開口部上でぴんと張る。
【０１８８】
１．２ドラムを横にしたときに、穴が頂部にくるような位置に、基部を通る直径１インチ（２５ｍｍ）、縁部から約２インチ（５１ｍｍ）の円形開口部を空ける。
【０１８９】
１．３長さ４インチ（１０２ｍｍ）、幅４インチ（１０２ｍｍ）、及び厚さ少なくとも１／１６インチ（１．６ｍｍ）の金属基部に、内径３インチ（７６ｍｍ）及び長さ４インチ（１０２ｍｍ）を有するパイプを溶接する。
【０１９０】
１．４任意選択的に、ドラム基部の中心を貫く６インチ（１５２ｍｍ）の正方形開口部を生成し、安全ガラス片でしっかりと覆ってもよい。
【０１９１】
方法
２．１容器に消火剤及び窒素ガスを１２５ｐｓｉの圧力まで装荷する。容器は、内径１／８インチ（３．２ｍｍ）の短い管を有し、その管が容器に取り付けられ、それを通じて消火剤が放出され得る。
【０１９２】
２．２ドラムを横に倒し（図２）、ドラムが収容される部屋の温度を所望のレベルに調節する。
【０１９３】
２．３パイプが溶接されるプレートの中心が、確実にドラムのそれぞれの端部から半分の位置に配置されるようにする。
【０１９４】
２．４金属基部に溶接されたパイプによって作製されたカップに、１インチ（２５ｍｍ）の水及び最小純度９９％のｎ−ヘプタン２５ｍＬを添加する。
【０１９５】
２．５ホットプレートをドラム内に置き、次いで、熱湯のビーカーをホットプレート上に置く。所望の湿度をもたらすため、水を沸騰させる。相対湿度はプローブを使用して測定され、絶対湿度はこの値から計算される。
【０１９６】
２．６パイプ内の燃料に直ちに火をつけ、クロージャを固定する（フィルムクロージャが使用される場合、１インチ（２５ｍｍ）の円形開口部を通るテーパによって燃料を点火させる）。
【０１９７】
２．７容器を振って、直立させるか、又は必要に応じて液体内容物がドラム内に直接噴霧され得るような位置に保持する。容器は、全装荷をドラム内に放出するように構成される。
【０１９８】
２．８可能な限り迅速に、ディスペンサを１インチ（２５ｍｍ）の開口部に置き、消が消されるか又は最大１２０秒の期間のいずれかが最初に実現するまで、噴霧剤を反対端部の中心に向かって方向付ける。時間制限は、消火剤が最初にドラム内に放出されたときに始まる。
【０１９９】
２．９それぞれの試験後に、ドラムを開放して大気を浄化し、将来の試験に影響を及ぼし得る、ドラムのあらゆる残留物を清浄する。
【０２００】
消火剤は、１つ以上の容器（２）内の密閉区域（複数可）（１）の外部に保管されてもよい。１つ以上の容器（２）は、分配配管網（３）に接続され、これにより、消火剤が密閉区域（複数可）（１）に送達されることが可能になる。消火剤は、分配配管網（３）から、ノズル又はスプリンクラ（４）を介して、密閉区域（複数可）（１）に送達されてもよい。
【０２０１】
トータルフラッディングシステムは、密閉区域（複数可）（１）内の火を検出するための１つ以上の検出器（５）を追加的に備えてもよい。
【０２０２】
トータルフラッディングシステムは、また、検出制御システム（６）及び／又はアラーム（７）を備えてもよい。検出制御システム（６）は、１つ以上の容器（２）と連通していてもよく、これにより、火が検出されると、検出制御システム（６）は、消火剤を１つ以上の容器（２）から放出させる。
【０２０３】
容器（２）は、噴射剤を追加的に含んでもよい。噴射剤は、Ａｒ、Ｎ２、Ｈｅ、ＣＯ２、及びこれらの組み合わせからなる群から選択されてもよい。噴射剤は、容器を加圧するために使用されてもよい。容器（２）は、２１℃で約８０〜約８００ｐｓｉの圧力に加圧されてもよい。
【０２０４】
例えば、火が密閉区域（複数可）（１）内に存在する場合、又は密閉区域（複数可）（１）が不活性化される場合、本発明の消火剤は、１つ以上の容器（２）から分配配管網（３）内に排出されてもよい。消火剤は、次いで、分配配管網（３）を通って移動し、次いで、ノズル又はスプリンクラ（４）を通じて密閉区域（１）に送達される。
【実施例】
【０２０５】
実施例１
クラスＢの試験火を消すための１２２４ｙｄ（Ｚ）の最小抽出濃度（ＭＥＣ）を、ＮＦＰＡ−２００１，２０１５  ＥｄｉｔｉｏｎのＡｎｎｅｘ  Ｂに設定されたカップバーナー法を使用して決定した。４０Ｌ／分の空気流量を使用した。
【０２０６】
燃料は、商用のｎ−ヘプタン（最低９０℃の初期沸点、１００℃の最大乾燥点、及び比重０．６９〜０．７３）であった。
【０２０７】
試験を周囲実験室温度（２３℃±２℃）で実施し、カップ内の燃料を周囲温度（２３℃±２℃）にした。
【０２０８】
１２２４ｙｄ（Ｚ）のＭＥＣは、空気中５．９ｖｏｌ％であると決定した。このような比較的低いレベルでＭＥＣを達成する能力は、有利かつ予想外の結果である。
【図１】
2020520259.tif 000003
【図２】
2020520259.tif 000004
【手続補正書】
【提出日】令和2年1月7日(2020.1.7)
【手続補正１】
【補正対象書類名】特許請求の範囲
【補正対象項目名】全文
【補正方法】変更
【補正の内容】
【特許請求の範囲】
【請求項１】
ＨＦＯ−１２２４ｙｄを含む消火剤であって、但し、前記消火剤は、ｉ）トランス−１−クロロ−２，３，３，３−テトラフルオロプロペン（ＨＦＯ−１２２４ｙｄ（Ｅ））及びトランス−１，１，１，４，４，５，５，５−オクタフルオロ−２−ペンテン（ＨＦＯ−１４３８ｍｚｚ（Ｅ））、又はｉｉ）トランス−１−クロロ−２，３，３，３−テトラフルオロプロペン（ＨＦＯ−１２２４ｙｄ（Ｅ））及びトランス−１，１，１，４，４，４−ヘキサフルオロ−２−ブテン（ＨＦＯ−１３３６ｍｚｚ（Ｅ））、又はｉｉｉ）トランス−１−クロロ−２，３，３，３−テトラフルオロプロペン（ＨＦＯ−１２２４ｙｄ（Ｅ））及び１，１，１，２，３−ペンタフルオロプロパン（ＨＦＣ−２４５ｅｂ）から本質的にならない、消火剤。
【請求項２】
請求項１に記載の消火剤を含み、噴射剤を更に含む、組成物。
【請求項３】
ＨＦＯ−１２２４ｙｄを含む消火剤に火炎を接触させることを含む、火炎を抑制する又は消すための方法であって、但し、前記消火剤は、ｉ）トランス−１−クロロ−２，３，３，３−テトラフルオロプロペン（ＨＦＯ−１２２４ｙｄ（Ｅ））及びトランス−１，１，１，４，４，５，５，５−オクタフルオロ−２−ペンテン（ＨＦＯ−１４３８ｍｚｚ（Ｅ））、又はｉｉ）トランス−１−クロロ−２，３，３，３−テトラフルオロプロペン（ＨＦＯ−１２２４ｙｄ（Ｅ））及びトランス−１，１，１，４，４，４−ヘキサフルオロ−２−ブテン（ＨＦＯ−１３３６ｍｚｚ（Ｅ））、又はｉｉｉ）トランス−１−クロロ−２，３，３，３−テトラフルオロプロペン（ＨＦＯ−１２２４ｙｄ（Ｅ））及び１，１，１，２，３−ペンタフルオロプロパン（ＨＦＣ−２４５ｅｂ）から本質的にならない、方法。
【国際調査報告】
2020520259.tif 000005
2020520259.tif 000006